(57)【要約】  本発明の撮像装置は、第１のレンズ１と、第１のレンズ１を通過した光が入射する第２のレンズ２と、第２のレンズ２を通過した光を検出する撮像面４ｉを有する撮像素子４とを含む像側非テレセントリック撮像光学系と、露光時間中に第１のレンズ１と第２のレンズ２との間の第１距離、及び、第２のレンズ２と撮像素子４との間の第２距離をそれぞれ変化させる位置変化部（カム機構６およびモーター８）と、撮像素子４から出力された電気信号を用いて画像を生成する信号処理部９とを備え、撮像素子４は、第１の距離および第２の距離が変化している露光時間中に撮像面４ｉに到達した光を電気信号に変換する。
2011096237.tif 000002
【特許請求の範囲】
【請求項１】
第１のレンズと、前記第１のレンズを通過した光が入射する第２のレンズと、前記第２のレンズを通過した光を検出する撮像面を有する撮像素子とを含む像側非テレセントリック撮像光学系と、
露光時間中に前記第１のレンズと前記第２のレンズとの間の第１距離、及び、前記第２のレンズと前記撮像素子との間の第２距離をそれぞれ変化させる位置変化部と、
前記撮像素子から出力された電気信号を用いて画像を生成する信号処理部とを備え、
前記撮像素子は、前記第１の距離および前記第２の距離が変化している前記露光時間中に前記撮像面に到達した光を前記電気信号に変換する、撮像装置。
【請求項２】
前記露光時間中に前記第２の距離が所定量変化する場合に、前記第１の距離が変化しない場合と比較して、前記撮像面における像の位置の変化が小さくなるように前記第１距離を変化させる、請求項１に記載の撮像装置。
【請求項３】
前記位置変化部が前記第１距離および前記第２距離を変化させることにより、前記露光時間中において、前記撮像面における像の位置が一定になる、請求項１または２に記載の撮像装置。
【請求項４】
前記信号処理部は、前記露光時間中に前記撮像面に到達した光の電気信号から、単一の前記画像を生成する、請求項１から３のいずれかに記載の撮像装置。
【請求項５】
前記信号処理部は、予め記憶された点拡がり関数を用いて、前記画像の鮮鋭度を高める、請求項１から４のいずれかに記載の撮像装置。
【請求項６】
前記点拡がり関数は、前記第１距離および前記第２距離をそれぞれ変化させながら点光源を撮像することによって取得されたものである、請求項５に記載の撮像装置。
【請求項７】
前記信号処理部は、単一の前記点拡がり関数を用いて、前記画像の全領域を復元する、請求項５または６に記載の撮像装置。
【請求項８】
前記位置変化部は、第１のカム溝及び第２のカム溝を有するカム筒を備え、
前記カム筒が光軸周りに回転することにより、第１のカム溝によって前記第２のレンズまたは前記撮像素子を移動させ、前記第２のカム溝によって前記第１のレンズまたは前記第２のレンズを移動させる、請求項１から７のいずれかに記載の撮像装置。
【請求項９】
前記第１距離の変化量と前記第２距離の変化量とが同量である、請求項１から７のいずれかに記載の撮像装置。
【請求項１０】
前記第２のレンズを保持する第１の鏡筒と、
前記第１のレンズと前記撮像素子とを保持する第２の鏡筒とをさらに備え、
前記位置変化部が、前記第１の鏡筒と前記第２の鏡筒のいずれか一方を移動させる、請求項９に記載の撮像装置。
【請求項１１】
第１のレンズと、前記第１のレンズを通過した光が入射する第２のレンズと、前記第２のレンズを通過した光を検出する撮像面を有する撮像素子とを含む像側非テレセントリック撮像光学系と、
前記撮像素子から出力された電気信号を用いて画像を生成する信号処理部とを備える撮像装置の撮像方法であって、
露光時間中に、前記第１のレンズと前記第２のレンズとの間の第１距離、及び、前記第２のレンズと前記撮像素子との間の第２距離をそれぞれ変化させながら、前記撮像素子における撮像面に到達した光を取得する第１のステップと、
前記信号処理部が、前記第１ステップに取得された光の電気信号に基づいて画像を生成する第２のステップとを包含する撮像方法。
【請求項１２】
前記第１のステップでは、前記第２の距離が所定量変化する場合に、前記第１距離が変化しない場合と比較して、前記撮像面における像の位置の変化が小さくなるように、前記第１距離を変化させる、請求項１１に記載の撮像方法。
【請求項１３】
前記露光時間中に、前記第１距離および前記第２距離を変化させることにより、前記撮像面における像の位置が一定になる、請求項１１または１２に記載の撮像方法。
【請求項１４】
前記第２のステップにおいて、前記信号処理部は、前記露光時間中に前記撮像面に到達した光の電気信号から、単一の前記画像を生成する、請求項１１から１３のいずれかに記載の撮像方法。
【請求項１５】
前記第２のステップにおいて生成された前記画像に対して、予め記憶された点拡がり関数を用いて前記画像の鮮鋭度を高める第３のステップをさらに含む、請求項１１から１４のいずれかに記載の撮像方法。
【発明の詳細な説明】
【技術分野】
【０００１】
本発明はカメラ等の撮像装置に関する。
【背景技術】
【０００２】
撮像装置では、被写体の位置が被写界深度の範囲内に含まれる場合に、フォーカスが合い鮮明な画像を撮像することができる。被写界深度を拡張した画像を取得するには、撮像光学系のＦナンバーを大きくすることにより対応できるが、Ｆナンバーを大きくすると、光量が低下してしまう。【０００３】
特許文献１には、被写体および鏡筒の少なくとも一方を露光時間中に動かす構成にすることにより、Ｆナンバーを大きくすることなく被写界深度を拡張する技術が開示されている。特許文献１に開示される構成は、顕微鏡などの物体側テレセントリック光学系に有効な手法である。
【先行技術文献】
【特許文献】
【０００４】
【特許文献１】特開昭６０−６８３１２号公報
【発明の概要】
【発明が解決しようとする課題】
【０００５】
本願発明者は、広視野を撮像するカメラに特許文献１に示す手法を応用する場合には、次のような課題があることを見出した。【０００６】
像側テレセントリック光学系において、露光時間中にレンズ鏡筒および撮像面の少なくとも一方を動かす構成を採用すると、バックフォーカスを変化させ、被写界深度を拡張する効果を得ることができる。【０００７】
しかしながら、広視野を撮像するカメラの光学系を像側テレセントリックにしようとすると、レンズ枚数の増加により光学長が長くなるため、撮像装置の大型化や高コスト化をまねく。【０００８】
一方、像側テレセントリックではない光学系を用いた場合、露光時間中に鏡筒および撮像面の少なくとも一方を動かすと、露光された画像の周辺部において、光軸を中心に放射状に流れが現れる。このような放射状の流れは、露光時間中に撮像面に写る像の位置（像の大きさ）が変化することが原因である。放射状の流れに対してウィナーフィルタのような画像復元フィルタを用いて処理を行っても、画像を十分に復元することは困難である。【０００９】
本発明は、上記課題を解決するためになされたものであり、その主な目的は、被写界深度が大きく、かつ、画像の周辺部に放射状の流れが生じるのを抑制することができる撮像装置および撮像方法を提供することにある。
【課題を解決するための手段】
【００１０】
本発明の撮像装置は、第１のレンズと、前記第１のレンズを通過した光が入射する第２のレンズと、前記第２のレンズを通過した光を検出する撮像面を有する撮像素子とを含む像側非テレセントリック撮像光学系と、露光時間中に前記第１のレンズと前記第２のレンズとの間の第１距離、及び、前記第２のレンズと前記撮像素子との間の第２距離をそれぞれ変化させる位置変化部と、前記撮像素子から出力された電気信号を用いて画像を生成する信号処理部とを備え、前記撮像素子は、前記第１の距離および前記第２の距離が変化している前記露光時間中に前記撮像面に到達した光を前記電気信号に変換する。【００１１】
本発明の撮像方法は、第１のレンズと、前記第１のレンズを通過した光が入射する第２のレンズと、前記第２のレンズを通過した光を検出する撮像面を有する撮像素子とを含む像側非テレセントリック撮像光学系と、前記撮像素子から出力された電気信号を用いて画像を生成する信号処理部とを備える撮像装置の撮像方法であって、露光時間中に、前記第１のレンズと前記第２のレンズとの間の第１距離、及び、前記第２のレンズと前記撮像素子との間の第２距離をそれぞれ変化させながら、前記撮像素子における撮像面に到達した光を取得する第１のステップと、前記信号処理部が、前記第１ステップに取得された光の電気信号に基づいて画像を生成する第２のステップとを包含する。
【発明の効果】
【００１２】
本発明によれば、第２のレンズと撮像素子との間の第２距離を変化させながら撮像面に到達した光を取得することにより、被写界深度を大きくすることができる。さらに、第１のレンズと第２のレンズとの間の第１距離を変化させながら撮像面に到達した光を取得することにより、露光時間中に撮像面に写る像の位置変化を低減することができる。このように、生成された画像の周辺部の劣化を低減することができるため、像側非テレセントリックの撮像光学系を有する撮像装置においても、被写界深度を大きくすることができる共に、画像全域にわたって鮮鋭度の高い画像を得ることができる。
【図面の簡単な説明】
【００１３】
【図１】本発明の実施の形態１における撮像装置を模式的に示す断面図
【図２】本発明の実施の形態１における撮像装置のカム機構の構造図
【図３】本発明の実施の形態１における撮像装置の撮像光学系の断面図
【図４】（１）は光学系における球面収差を示すグラフ、（２）は光学系における非点収差を示すグラフ、（３）は光学系における歪曲収差を示すグラフ
【図５】（１）から（３）は、図１の撮像装置において、第１のレンズと第２のレンズを固定して撮像した場合の被写体距離毎のＰＳＦを示す図
【図６】（１）から（３）は、図１の撮像装置において、第１のレンズと第２のレンズを固定して撮像した場合の被写体距離毎のチャート画像を示す図
【図７】（１）から（３）は、図１の撮像装置において、第１のレンズ第２のレンズを移動して撮像した場合の被写体距離毎のＰＳＦを示す図
【図８】（ａ）から（ｅ）は、ＭＴＦの導出について説明する図
【図９】（１）から（３）は、図１の撮像装置において、第１のレンズと第２のレンズを固定して撮像した場合の被写体距離毎のＭＴＦのグラフ
【図１０】（１）から（３）は、図１の撮像装置において、第１のレンズと第２のレンズを移動して撮像した場合の被写体距離毎のＭＴＦのグラフ
【図１１】（１）から（３）は、図１の撮像装置で取得した被写体距離毎の復元前のチャート画像を示す図
【図１２】（１）から（３）は、点拡がり関数に基づいて復元させた場合のＭＴＦのグラフ
【図１３】（１）から（３）は、図１の撮像装置で取得した被写体距離毎の復元後のチャート画像を示す図
【図１４】（ａ）および（ｂ）は、図１の撮像装置の異なる形態を示す模式的に示す図
【図１５】本発明の実施の形態２における撮像装置を模式的に示す断面図
【図１６】本発明の実施の形態２における撮像装置の撮像光学系の断面図
【図１７】（１）から（３）は、図１６の光学系における球面収差、非点収差および歪曲収差をそれぞれ示すグラフ
【図１８】比較例における撮像装置を模式的に示す図
【図１９】比較例における撮像装置の撮像光学系の断面図
【図２０】（１）から（３）は、図１９の光学系における球面収差、非点収差および歪曲収差をそれぞれ示すグラフ
【図２１】（１）から（３）は、図１８の撮像装置の被写体距離毎のＰＳＦを示すグラフ
【図２２】（１）から（３）は、図１８の撮像装置の被写体距離毎のＭＴＦを示すグラフ
【図２３】（１）から（３）は、図１８の撮像装置の被写体距離毎の復元前のチャート画像を示す図
【図２４】（１）から（３）は、図１８の撮像装置の被写体距離毎の復元後のＭＴＦを示すグラフ
【図２５】（１）から（３）は、図１８の撮像装置の被写体距離毎の復元後のチャート画像を示す図
【発明を実施するための形態】
【００１４】
以下本発明の実施の形態について、図面を参照しながら説明する。
【００１５】
（実施の形態１）
図１は、本発明の実施の形態１における撮像装置１００の構成を示す模式図である。撮像装置１００は、第１のレンズ１、第２のレンズ２、絞り３、および撮像面４ｉを有する撮像素子４によって構成される非テレセントリック撮像光学系と、シャッター機構５と、カム筒および固定筒を含むカム機構６と、制御部７と、モーター８と、信号処理部９とを備えている。
【００１６】
第１のレンズ１は、第２のレンズ２よりも被写体側に配置されている。被写体からの光は、第１のレンズ１を通過した後に、第２のレンズ２に入射する。第２のレンズ２は、第１のレンズ１と撮像素子４との間に配置されている。第２のレンズ２を通過した光は、撮像素子４の撮像面４ｉにおいて検出される。
【００１７】
カム機構６およびモーター８は位置変化部を構成している。モーター８は、制御部７からの制御信号に基づいて、カム機構６を動かす。カム機構６は、第１のレンズ１と第２のレンズ２との間の距離（相対位置）、及び、第２のレンズ２と撮像素子４の間の距離（相対位置）をそれぞれ変化させる。具体的には、絞り３が開放されている間（期間）に、第２のレンズ２を、初期位置（実線）２Ａから最終位置（破線）２Ｂまで移動させることによって、第２のレンズ２と撮像素子４の撮像面との間の距離を変化させる。かつ、第１のレンズ１を初期位置（実線）１Ａから最終位置（破線）１Ｂまで移動させることによって、第２のレンズ２と撮像素子４の撮像面との距離の変化に連動させて、第１のレンズ１と第２のレンズ２との間の距離を変化させる。なお、本実施形態では、絞り３をシャッターとしても機能させている。
【００１８】
撮像素子４は、絞り３が開放されている間に、撮像面４ｉに到達した光を電気信号に変換する。
【００１９】
より具体的には、絞り３が開放されている間、撮像素子４は、撮像面４ｉに入射してくる光を連続的に取得し、その光を電荷に変換し続ける。露光時間が経過した後、シャッター機構５は絞り３を閉じる。その後、撮像素子４は、露光時間に蓄積された電荷を、電気信号として信号処理部９に出力する。信号処理部９は電気信号に基づいて画像を生成する。
【００２０】
本実施形態によると、第２のレンズと撮像素子との間の距離を変化させながら撮像を行うことにより、被写界深度を大きくすることができる。
【００２１】
第２のレンズ２は、被写体に近づく方向（初期位置２Ａから最終位置２Ｂに向う方向）に動く。この動きに連動し、第１のレンズ１は、被写体から遠ざかる方向（初期位置１Ａから最終位置１Ｂに向う方向）に動く。第１のレンズ１がこのような向きに動くことにより、第１のレンズ１と第２のレンズ２との間の距離が一定の場合と比較して、撮像面４ｉにおける像の位置の変化が小さくなる。ただし、この比較は、第１のレンズ１と第２のレンズ２との間の距離が変化する場合と一定の場合との両方において、第２のレンズ２と撮像素子４との間の距離の変化が同一であることを前提としている。
【００２２】
本実施形態においては、絞り３が開放されている間に第１のレンズ１と第２のレンズ２との間の距離、及び、第２のレンズ２と撮像素子４との間の距離を変化させることにより、撮像素子４の撮像面４ｉにおける像の位置が一定（略一定）となることが好ましい。「像の位置が一定」であるとは、具体的には、像の位置変化が、その所定の時間において常に、１から２画素程度の範囲内の値をとることを言う。
【００２３】
第１のレンズ１と第２のレンズ２は、それぞれ単レンズから構成されていてもよいし、複数レンズから構成されたレンズ群であってもよい。
【００２４】
なお、上述の説明においては、絞り３が開放されている時間と、第１のレンズ１および第２のレンズ２が移動する時間とが、ほぼ一致していた。本実施形態においては、これらは一致していなくてもよい。すなわち、絞り３が開放されている時間のうちの一部のみに第１のレンズ１および第２のレンズ２が移動してもよいし、第１のレンズ１および第２のレンズ２が移動している時間の一部のみに絞り３を開放してもよい。また、第１のレンズ１および第２のレンズ２の動き自体は連続的でなくてもよく、一時的に停止してもよい。例えば、第１、第２のレンズ１、２は、０．０１秒から０．１秒程度の時間内に連続的に移動される。
【００２５】
本実施形態において、絞り３はシャッターとしての役割も果たす。この場合、「露光時間」は、絞り３を開放することにより、撮像面４ｉに光が入射する時間である。本実施形態においては、絞り３のほかに、別途シャッターを設けてもよい。この場合、シャッターとしては、例えば、仕切り板などの部材を絞り３と撮像素子４との間に設ければよい。この場合、「露光時間」は、仕切り板などの部材を開放することにより、撮像面４ｉに光が入射する時間である。また、本実施形態では、撮像素子４の電子シャッターによって、撮像面４ｉに入射する光を検出するか否かを切り替えてもよい。この場合、「露光時間」とは、撮像素子の電子シャッターが開放状態にあり、撮像面４ｉに入射する光が検出される時間である。
【００２６】
図２は、カム機構６の構成図であり、第１のレンズを保持する第１のレンズ鏡筒Ａと、第２のレンズを保持する第２のレンズ鏡筒Ｂと、第１のレンズ鏡筒Ａおよび第２のレンズ鏡筒Ｂを保持するカム筒Ｃと、カム筒Ｃを保持する固定筒Ｄとから構成されている。第１のレンズ鏡筒Ａの周りには、レンズの中心からレンズの外側に向かう方向に凸状の第１のカムフォロワＡ１が設けられており、第２のレンズ鏡筒Ｂの周りにも、レンズの中心からレンズの外側に向かう方向に凸状の第２のカムフォロワＢ１が設けられている。また、カム筒Ｃには、カム筒Ｃを貫通する第１のカム溝Ｃ１と第２のカム溝Ｃ２が設けられている。第１のカム溝Ｃ１内には第１のカムフォロワＡ１が、第２のカム溝Ｃ２内には第２のカムフォロワＢ１が配置されている。
【００２７】
第１のカム溝Ｃ１および第２のカム溝Ｃ２は、カム筒Ｃの表面において、それぞれ細長い穴を有しており、それらの長手方向は、それぞれ、撮像面４ｉから傾いている。カム筒Ｃを回転させることにより、第１のカム溝Ｃ１、第２のカム溝Ｃ２も回転移動する。そのため、第１のカム溝Ｃ１内における第１のカムフォロワＡ１の相対的な位置が変化し、第２のカム溝Ｃ２内の第２のカムフォロワＢ１の相対的な位置が変化する。上述したように、第１のカム溝Ｃ１および第２のカム溝Ｃ２の長手方向が撮像面４ｉから傾いているため、カム筒Ｃを回転させると、第１のレンズ鏡筒Ａおよび第２のレンズ鏡筒Ｂの光軸方向の位置が変化する。第１のカム溝Ｃ１および第２のカム溝Ｃ２の長手方向の傾きの大きさによって、第１のレンズ鏡筒Ａと第２のレンズ鏡筒Ｂの相対的な位置関係が決定される。カム筒Ｃの端部には、モーターからの回転を伝達する第１のギアＣＧが設けられている。
【００２８】
また、固定筒Ｄの内側には、第１のガイド溝Ｄ１および第２のガイド溝Ｄ２が設けられている。第１のガイド溝Ｄ１および第２のガイド溝Ｄ２内には、第１のカムフォロワＡ１および第２のカムフォロワＢ１が配置されている。第１のガイド溝Ｄ１は、第１のカムフォロワＡ１の光軸方向の移動範囲に設けられ、第２のガイド溝Ｄ２は、第２のカムフォロワＢ１の光軸方向の移動範囲に設けられている。すなわち、第１のガイド溝Ｄ１および第２のガイド溝Ｄ２の長手方向は、光軸に平行な方向を向いている。カム溝Ｃを回転させると、第１のカムフォロワＡ１が第１のガイド溝Ｄ１内を移動し、内第２のカムフォロワＢ１が第２のガイド溝Ｄ２を移動する。このように、第１のガイド溝Ｄ１および第２のガイド溝Ｄ２は、第１のレンズ鏡筒Ａと第２のレンズ鏡筒Ｂをそれぞれ光軸方向にガイドすることができる。
【００２９】
モーター８には、カム筒Ｃに設けられた第１のギアＣＧにモーターの回転を伝達するための第２のギア８Ｇが設けられている。このような構成により、図１の絞り３の開放時つまり露光時間中にモーター８を回転させることでカム筒Ｃが回転し、カム筒Ｃの回転に伴い第１のレンズ鏡筒Ａと第２のレンズ鏡筒Ｂがそれぞれ光軸方向に移動する。第１のレンズ鏡筒Ａと第２のレンズ鏡筒Ｂの移動により、第２のレンズ２と撮像素子４の撮像面との距離の変化に連動して第１のレンズ１と第２のレンズ２との距離が変化する。
【００３０】
撮像装置１００における画像取得フローの一例を説明する。まず、制御部７からの制御信号によりシャッター機構５を制御して、絞り３を開放状態とする。第１のレンズ１と第２のレンズ２は、それぞれ、初期位置１Ａ、１Ｂにある。絞り３の開放とほぼ同時に、制御部７によりモーター８が駆動され、カム機構６を介して、第１のレンズ１と第２のレンズ２は最終位置１Ｂ、２Ｂまで動かされる。このとき、第２のレンズ２及び絞り３は一体となって移動させる。
【００３１】
第１のレンズ１と第２のレンズ２の移動量はそれぞれａ、ｂとなるように、言い換えると、第１のレンズ１と第２のレンズ２との距離の変化量がａ＋ｂ、第２のレンズ２と撮像素子４の撮像面との距離の変化量がｂとなるように設計されている。第１のレンズ１と第２のレンズ２との間の距離は、移動後、ａ＋ｂだけ短くなり、第２のレンズ２と撮像素子４の撮像面との間の距離は、ｂだけ短くなる。
【００３２】
撮像光学系の設計パラメータとａ、ｂの値を適正に設定することにより、露光時間中は撮像面４ｉにおける像の大きさを常に一定にすることができる。詳細は後述する。次に、第１のレンズ１と第２のレンズ２の停止とほぼ同時に制御部７からの制御信号によりシャッター機構５を制御し絞り３を閉じる。撮像素子４は、露光時間中に検出した光を電気信号に変換して信号処理部９に出力する。信号処理部９は撮像素子４から取得したデータを処理して、単一の画像を生成し出力する。
【００３３】
ここで、第２のレンズ２の初期位置２Ａは、最長撮影距離に存在する被写体の像が撮像面で合焦する位置であり、最終位置２Ｂは、最短撮影距離に存在する被写体の像が撮像面で合焦する位置である。最長撮影距離は、撮像装置１００によって焦点の合った撮像を行うことが望まれる被写体距離の範囲のうち最も大きい距離であり、最短撮影距離は、同様の被写体距離の範囲のうち最も小さい距離である。これらは、撮像装置１００の仕様に応じて予め設定されている。本実施形態では、初期位置２Ａが最長撮影距離に、最終位置２Ａが最短撮影距離に対応しているが、これらは逆であってもよい。この場合、第１のレンズ１の初期位置１Ａおよび最終位置１Ｂも逆になる。また、最長撮影距離から最短撮影距離までの範囲（撮影距離範囲）は、予めモードに応じて複数設定させてもよい。
【００３４】
以上のように、露光時間中に第２のレンズ２を移動させる（バックフォーカスを変化させる）ことにより、予め設定された撮影距離範囲内の任意の距離における被写体の合焦位置は撮像面４ｉに存在することになる。これにより、被写界深度を拡張することができる。さらに、図１に示したように、第２のレンズ２の移動と連動した第１のレンズ１の移動により、第２のレンズ２の移動により生じうる像の位置の変化を低減することができる。これにより、像側が非テレセントリックの撮像光学系を有する撮像装置であっても、画像全域にわたって被写界深度拡張の効果を得ることができる。
【００３５】
以下に実際の設計例を説明する。
【００３６】
図３は、図１の撮像光学系の第１のレンズを１群１枚で、第２のレンズ２を３群３枚のレンズにて設計した例である。レンズ群２Ａ、２Ｂ、２Ｃは図１で説明した第２のレンズ２に相当する。図３において、撮像光学系はフィルタ１０を備えている。
【００３７】
表１、表２および表３は、図３に示す撮像光学系の設計データをそれぞれ示している。表１と表２において、Ｒｉは各面の近軸曲率半径（ｍｍ）、ｄｉは各面における、隣接面との面中心間隔（ｍｍ）、ｎｄはレンズもしくはフィルタのｄ線の屈折率、νｄはレンズもしくはフィルタのｄ線のアッベ数を示している。また、非球面形状は、面頂点の接平面から光軸方向の距離をｘ（ｍｍ）、光軸からの高さをｈ（ｍｍ）として、ｒを近軸曲率半径、ｋを円錐定数、Ａｍ（ｍ＝４，６，８，１０）を第ｍ次の非球面係数としたとき（数１）で表される。
【数１】
2011096237.tif 000003
【００３８】
また、表３は変動箇所の面間隔と半画角２４°における像高を示している。表３において位置１は、図１における第１のレンズ１と第２のレンズ２の初期位置１Ａ、２Ａに対応し、位置３は同じく最終位置１Ｂ、２Ｂに対応し、位置２は初期位置１Ａ、２Ａと最終位置１Ｂ、２Ｂとの中間位置に対応している。また、本設計例において、位置１はおよそ１００００ｍｍの被写体距離にある被写体の像が最も合焦する位置を示し、位置２はおよそ６００ｍｍの被写体距離にある被写体の像が最も合焦する位置を示し、位置３はおよそ３００ｍｍの被写体距離にある被写体の像が最も合焦する位置を示す。
【００３９】
【表１】
2011096237.tif 000004
【００４０】
【表２】
2011096237.tif 000005
【００４１】
【表３】
2011096237.tif 000006
【００４２】
図４の（１）、（２）および（３）は、それぞれ表３の位置２における球面収差、非点収差および歪曲収差を示している。
【００４３】
撮像光学系の設計パラメータ及び第２のレンズ２の初期位置２Ａおよび移動距離ｂの決定は、レンズ収差の影響及び被写界深度を勘案した上で最適値を導き出すことによって行った。また、これに伴い、第１のレンズ１の初期位置１Ａおよび移動距離ａは、撮像面４ｉにおける像高が表３の最下段のように一定になるよう、つまり、第２のレンズ２の移動により生じうる像の位置変化が生じないように設定している。これにより、露光時間中に第１のレンズ及び第２のレンズの位置を変化させて撮影した画像の周辺部は、放射状に流れることがなくなるため、画像周辺部の劣化を抑制することができる。
【００４４】
次に、本実施の形態の効果について、撮像光学系を固定した場合（比較例）と比較して詳細に説明する。
【００４５】
図５は、撮像光学系を表３の位置２の状態に固定した場合の被写体距離毎のＰＳＦ（Ｐｏｉｎｔ  Ｓｐｒｅａｄ  Ｆｕｎｃｔｉｏｎ）の２次元強度分布を像高０割と像高１０割のそれぞれについて示している。なお、「像高」とは、画像中心からの距離に相当し、像高０割は、画像中心部分、像高１０割は画像中心からの距離が最大となる部分のことを言う。また、２次元強度分布の各グラフの左側に配置されるグラフがタンジェンシャル方向のＰＳＦ断面を表し、下側に配置されるグラフがサジタル方向のＰＳＦ断面を表している。撮像光学系を位置２の状態に固定した場合では、被写体距離や像高によってＰＳＦの２次元強度分布が大きく変化することがわかる。
【００４６】
また、図６は、撮像光学系を表３の位置２の状態に固定した場合の被写体距離毎のチャート画像を、像高０割と像高１０割のそれぞれについてシミュレーションによって取得した画像を示す図である。位置２は被写体距離６００ｍｍにある被写体の像が最も合焦するため、図６において、被写体距離６００ｍｍで最も鮮鋭な画像となっており、被写体距離３００ｍｍと１００００ｍｍでは、画像が劣化していることがわかる。
【００４７】
図７は、本実施の形態における前述の画像取得フローで撮像した場合の被写体距離毎のＰＳＦの２次元輝度分布を像高０割と像高１０割のそれぞれについて示している。露光時間中にＲ２面（Ｒ２面と絞り間）とＲ８面（Ｒ８面とＦ１面間）の面間隔が、それぞれ表３の位置１、位置２、位置３の状態になるよう、順に等速で動かしている。このような画像取得フローにより、図７に示すように、被写体距離や像高が変化したときのＰＳＦの２次元強度分布の変化を大幅に減少させることができる。
【００４８】
図８は、撮像光学系のＭＴＦ（Ｍｏｄｕｌａｔｉｏｎ  Ｔｒａｎｓｆｅｒ  Ｆｕｎｃｔｉｏｎ）を測定するための一般的な手順を示す図である。図８（ａ）は、白黒の境界が完全なステップ状になっているチャートである。図８（ａ）のチャートを撮像すると、図８（ｂ）の画像が取得でき、白黒の境界部の鮮鋭度は撮像光学系の点拡がり関数によって劣化する。図８（ｃ）は、図８（ｂ）の画像の階調の断面を示しており、これを微分すると図８（ｄ）のＬＳＦ（Ｌｉｎｅ  Ｓｐｒｅａｄ  Ｆｕｎｃｔｉｏｎ）が得られる。ＬＳＦをフーリエ変換することにより、図８（ｅ）のような撮像光学系のＭＴＦを取得することができる。ここで、図８（ａ）のチャートをタンジェンシャル方向とサジタル方向でそれぞれ撮像し、それぞれのＬＳＦをフーリエ変換することによりタンジェンシャル方向のＭＴＦとサジタル方向のＭＴＦを取得することができる。一般的に、ＭＴＦ値が高いほど、画像の鮮鋭度は高くなる。
【００４９】
図９は、撮像光学系を表３の位置２の状態に固定した場合の被写体距離毎のＭＴＦのグラフである。図９のＭＴＦは、前述の図８（ａ）〜（ｅ）の手順に従って取得したものである。ここで、図８（ｂ）に相当する画像は、撮像素子の画素ピッチを１．８μｍとしてシミュレーションによって取得している。位置２では被写体距離６００ｍｍにある被写体の像が最も合焦するため、図９において、被写体距離３００ｍｍと１００００ｍｍでは、被写体距離６００ｍｍに比べて高周波数側のＭＴＦが低下していることがわかる。なお、図６で示したチャート画像は、図９のＭＴＦに準じた画質となっている。
【００５０】
図１０は、本実施の形態における前述の画像取得フローで撮像した場合の被写体距離毎のＭＴＦのグラフであり、前述の図８の（ａ）〜（ｅ）の手順に従って取得したものである。図９の被写体距離３００ｍｍと１００００ｍｍにおけるＭＴＦグラフと比べて、高周波数側のＭＴＦの低下が抑制されていることがわかる。
【００５１】
図１１は、本実施形態における前述の画像取得フローで撮像した場合の被写体距離毎のチャート画像を像高０割と像高１０割のそれぞれについてシミュレーションにて取得した画像を示す図である。図１１に示す画像は、図１０のＭＴＦ特性に準じた画質となっている。図６の比較例（位置２に固定して取得した画像）と比べると、被写体距離６００ｍｍの画像の鮮鋭度は多少劣化しているものの、被写体距離３００ｍｍと１００００ｍｍの画像の鮮鋭度については向上していることがわかる。また、中央部と比較した画像周辺部の劣化も最小限に抑制できていることがわかる。
【００５２】
次に、劣化画像（撮影画像）をＰＳＦに基づいて復元する方法について説明する。劣化前の原画像をｆ（ｘ，ｙ）とし、ＰＳＦをｈ（ｘ，ｙ）とすると、劣化後（撮影後）の画像ｇ（ｘ，ｙ）は、（数２）で表すことができる。
【数２】
2011096237.tif 000007
【００５３】
（数２）の両辺をフーリエ変換すると（数３）のようになる。
【数３】
2011096237.tif 000008
【００５４】
ここで、（数４）の逆フィルタＨｉｎｖ（ｕ，ｖ）を劣化画像Ｇ（ｕ，ｖ）に適用することによって、（数５）のように原画像の２次元フーリエ変換Ｆ（ｕ，ｖ）が求まる。これを逆フーリエ変換することによって、原画像ｆ（ｘ，ｙ）を復元画像として得ることができる。
【数４】
2011096237.tif 000009
【数５】
2011096237.tif 000010
【００５５】
しかし、Ｈ（ｕ，ｖ）が０あるいは極めて小さい値となるとＨｉｎｖ（ｕ，ｖ）が発散するため、（数６）のようなウィーナフィルタＨｗ（ｕ，ｖ）を用いて劣化画像を復元する。
【数６】
2011096237.tif 000011
【００５６】
（数６）においてＮ（ｕ，ｖ）はノイズである。通常はノイズと原画像Ｆ（ｕ，ｖ）は未知であるため、実際には定数ｋを用い（数７）のフィルタにて劣化画像を復元する。
【数７】
2011096237.tif 000012
【００５７】
図１２は、本実施の形態において（数７）の逆フィルタを用いて図８（ｂ）に相当する取得画像（撮影画像）を復元し、図８（ｃ）〜（ｅ）の手順に従って取得したＭＴＦのグラフである。なお、（数７）における定数ｋは、ｋを変化させた際のそれぞれの復元画像の鮮鋭度を比較して決定している。図７に示したとおり、本実施の形態では、被写体距離や像高が変化してもＰＳＦの変動は少ないので、被写体距離や像高にかかわらず単一のＰＳＦに基づいて画像全体を復元させることができる。本実施の形態では、露光時間中に撮像素子の撮像面における像の位置変化が生じないように第１のレンズ及び第２のレンズの位置を変化させながら点光源を撮影することによって取得し画像（被写体距離６００ｍｍ像高０割）のＰＳＦを用いて復元を行った。いずれの被写体距離においても高周波数側のＭＴＦが図１０の復元前のＭＴＦと比べて向上していることがわかる。
【００５８】
また、図１３は、図１１の復元後の画像を示しており、図１２のＭＴＦ特性に準じた画質となっている。復元後の画像は、図１１の復元前の画像に比べて鮮鋭度が向上していることがわかる。
【００５９】
なお、本実施形態における画像復元処理は、図１に示した信号処理部９において実行される。
【００６０】
以上のように、本実施の形態においては、カム機構６及びモーター８を含む位置変化部により、第１のレンズ１と第２のレンズ２を連動して移動させながら露光を行う。これにより、露光時間中に生じうる撮像面に写る像の位置変化を低減することができるため、生成された画像の周辺部の劣化を低減することができる。これにより、像側が非テレセントリック光学系である撮像光学系を有する撮像装置であっても、画像全域にわたって被写界深度拡張の効果を得ることができる。
【００６１】
さらに、画像周辺部のＰＳＦが放射方向に広がらず、また、被写体距離や像高が変化してもＰＳＦの変動が少ないため、被写体距離や像高にかかわらず、単一のＰＳＦに基づいて画像を復元させることができる。これにより、画像全域にわたって被写界深度拡張の効果が得られ、かつ、より鮮鋭度の高い画像を取得することができる。また、単一のＰＳＦに基づいて画像を復元することができるため、画像位置毎のＰＳＦを記憶させておく必要がなくなり、演算負荷やメモリ消費を抑制することができる。
【００６２】
なお、本実施の形態では撮像素子４を固定して第１のレンズ１と絞り３および第２のレンズ２を移動させているが、本発明はこれに限るものではない。すなわち、第１のレンズ１と第２のレンズ２との距離の変化量がａ＋ｂ、第２のレンズ２と撮像素子４の撮像面との距離の変化量がｂとなればよいので、例えば、図１４（ａ）に示すように、第２のレンズ２および絞り３を固定して、第１のレンズ１と撮像素子４を移動させる構成であってもよい。図１４（ａ）の場合であっても表３の面間隔の関係は同じであり、第１のレンズ１の移動量と第２のレンズ２の移動量を図１のａ、ｂと対応させて記述するとそれぞれ、ａ＋ｂ、ｂとなる。同様に、図１４（ｂ）のように第１のレンズ１を固定して第２のレンズ２と絞り３および撮像素子４を移動させる構成であってもよい。図１４（ｂ）の場合であっても表３の面間隔の関係は同じであり、第２のレンズ２と絞り３の移動量と撮像素子４の移動量を図１のａ、ｂと対応させて記述すると、それぞれａ＋ｂ、ａとなる。図１４（ａ）、（ｂ）においても、図２と同様のカム溝およびカムフォロワを用いることができる。
【００６３】
また、本実施の形態において復元に用いるＰＳＦは、図１に示した撮像光学系を用いて、予め点光源を撮影することによって取得してもよい。点光源を撮影するときには、第１のレンズ１及び第２のレンズ２は、復元の対象となる画像を取得するための撮影時の第１のレンズ１及び第２のレンズ２の位置の変化と同一の条件で移動させる。または、復元に用いるＰＳＦをシミュレーションにより取得してもよい。ＰＳＦは、撮像装置１００内における信号処理部９の内部または外部に設けられた記憶部に記憶される。予め設定される撮影距離範囲が複数である場合は、撮影距離範囲に応じたＰＳＦを記憶すればよい。
【００６４】
また、本実施の形態は、単一のＰＳＦを用いて画像復元を行ったが、像高に応じたＰＳＦを取得し記憶させ、各像高において対応するＰＳＦを用いて復元してもよい。後述する比較例においては、画像周辺部の劣化により像高１０割におけるＭＴＦ値が、空間周波数が低い領域（５０〜１５０ｌｐ／ｍｍ）でも０の値に近接しているため、たとえ像高に対応するＰＳＦを用いても、鮮鋭度を十分に向上させることができない。しかし、本実施形態の撮影によると、画像周辺部の劣化を抑制することができるため、図１０に示すように、空間周波数が低い領域（５０〜１５０ｌｐ／ｍｍ）においてＭＴＦ値が確保される。したがって、ＰＳＦを用いて復元を行うことにより、鮮鋭度を十分に向上させることができる。
【００６５】
（実施の形態２）
以下、第１のレンズ１と第２のレンズ２との間の距離の変化量と、第２のレンズ２と撮像素子４の撮像面との間の距離の変化量が同量の構成を説明する。
【００６６】
図１５は、本実施形態における撮像装置１０１の構成を示す模式図である。撮像装置１０１は、第１のレンズ１、絞り３、第２のレンズ２、撮像素子４とで構成される非テレセントリック撮像光学系と、シャッター機構５、制御部７、モーター８、信号処理部９とを備えている。第２のレンズ２および絞り３は内側鏡筒１２によって保持され、第１のレンズ１および撮像素子４は外側鏡筒１３によって保持されている。
【００６７】
内部鏡筒１２およびモーター８は位置変化部を構成している。モーター８は、制御部７からの制御信号に基づいて、内部鏡筒１２を、初期位置（実線）１２Ａから最終位置（破線）１２Ｂまで動かす。内部鏡筒１２が動くと、内部鏡筒１２によって保持されている第２のレンズ２および絞り３が移動する。このとき、外部鏡筒１２によって保持されている第１のレンズ１および撮像素子４の位置は変化しないため、第１のレンズ１と第２のレンズ２との間の距離（相対位置）、及び、第２のレンズ２と撮像素子４の間の距離（相対位置）がそれぞれ変化する。
【００６８】
撮像素子４は、絞り３が開放されている間に、撮像面４ｉに到達した光を電気信号に変換する。なお、本実施形態では、絞り３をシャッターとしても機能させている。
【００６９】
より具体的には、絞り３が開放されている間、撮像素子４は、撮像面４ｉに入射してくる光を連続的に取得し、その光を電荷に変換し続ける。露光時間が経過した後、シャッター機構５は絞り３を閉じる。その後、撮像素子４は、露光時間に蓄積された電荷を、電気信号として信号処理部９に出力する。信号処理部９は電気信号に基づいて画像を生成する。
【００７０】
本実施形態によると、第２のレンズと撮像素子との間の距離を変化させながら撮像を行うことにより、被写界深度を大きくすることができる。
【００７１】
絞りが開放されている間、第２のレンズ２は、被写体に近づく方向に、距離Ｃだけ動き、第１のレンズ１の位置は変化しない。このように、第２のレンズ２と第１のレンズ１との間の距離が距離ｃだけ変化することにより、第１のレンズ１と第２のレンズとの間の距離が一定の場合と比較して、撮像面４ｉにおける像の位置の変化が小さくなる。
【００７２】
本実施形態においては、絞り３が開放されている間に第１のレンズ１と第２のレンズ２との間の距離、及び、第２のレンズ２と撮像素子４の間の距離を変化させることにより、撮像素子４の撮像面４ｉにおける像の位置が一定（略一定）となることが好ましい。「像の位置が一定」であるとは、具体的には、像の位置変化が、その所定の時間において常に、１から２画素程度の範囲内の値をとることを言う。
【００７３】
第１のレンズ１と第２のレンズ２は、それぞれ単レンズから構成されていてもよいし、複数レンズから構成されたレンズ群であってもよい。
【００７４】
なお、上述の説明においては、絞り３が開放されている時間と、内部鏡筒１２が移動する時間とが、ほぼ一致していた。本実施形態においては、これらは一致していなくてもよい。すなわち、絞り３が開放されている時間のうちの一部のみに内部鏡筒１２が移動してもよいし、内部鏡筒１２が移動している時間の一部のみに絞り３を開放してもよい。また、内部鏡筒１２の動き自体は連続的でなくてもよく、一時的に停止してもよい。内部鏡筒１２は、例えば、０．０１秒から０．１秒程度の時間内に連続的に移動される。
【００７５】
本実施形態において、絞り３はシャッターとしての役割も果たす。この場合、「露光時間」は、絞り３を開放することにより、撮像面４ｉに光が入射する時間である。本実施形態においては、絞り３のほかに、別途シャッターを設けてもよい。この場合、シャッターとしては、例えば、仕切り板などの部材を絞り３と撮像素子４との間に設ければよい。この場合、「露光時間」は、仕切り板などの部材を開放することにより、撮像面４ｉに光が入射する時間である。また、本実施形態では、撮像素子４内の電子シャッターによって、撮像面４ｉに入射する光を検出するか否かを切り替えてもよい。この場合、「露光時間」とは、撮像素子の電子シャッターが開放状態にあり、撮像面４ｉに入射する光が検出される時間である。
【００７６】
本実施形態の撮像装置１０１における画像取得フローの一例を説明する。まず、制御部７からの制御信号によりシャッター機構５を制御して絞り３を開放状態とする。このとき、第２のレンズ２および絞り３を保持する内側鏡筒１２は、初期位置１２Ａに配置されている。絞り３の開放とほぼ同時に、制御部７によりモーター８を駆動し、初期位置１２Ａから最終位置１２Ｂまで移動する。このときの内側鏡筒１２の移動量はｃである。
【００７７】
本実施の形態は、実施の形態１において、第１のレンズ１と第２のレンズ２との距離の変化量と、第２のレンズ２と撮像素子４の撮像面との距離の変化量が同量（ａ＝０）となるよう、かつ、露光時間中、撮像面４ｉにおける像の大きさの変化が小さくなるように撮像光学系を設計したものである。ａ＝０とすることにより、移動させる箇所を一箇所のみとすることができるため、実施の形態１に比べて構成および制御を簡便にすることができる。
【００７８】
内側鏡筒１２の停止とほぼ同時に、制御部７からの制御信号によりシャッター機構５を制御して、絞り３を閉じる。撮像素子４は、露光時間中に検出した光を電気信号に変換して信号処理部９に出力する。信号処理部９は撮像素子４から取得したデータを処理して、単一の画像を生成し出力する。
【００７９】
ここで、内側鏡筒１２の初期位置１２Ａは、最長撮影距離にある被写体の像が撮像面で合焦する位置であり、最終位置１２Ｂは最短撮影距離にある被写体の像が撮像面で合焦する位置である。これらは、撮像装置１０１の仕様に応じて予め設定されている。本実施形態では、初期位置１２Ａが最長撮影距離に、最終位置１２Ａが最短撮影距離に対応しているが、これらは逆であってもよい。また、最長撮影距離から最短撮影距離までの範囲（撮影距離範囲）は、予めモードに応じて複数設定させてもよい。
【００８０】
以上のように、露光時間中に内側鏡筒１２を移動させてバックフォーカスを変化させることにより、予め設定された撮影距離範囲内の任意の距離における合焦位置は撮像面４ｉ上に存在することになる。これにより、被写界深度を拡張することができる。さらに、内側鏡筒１２の移動により、第１のレンズ１と第２のレンズ２との距離は、第２のレンズ２の移動により生じうる位置変化を低減する方向に変化する。これにより、像側が非テレセントリック光学系である撮像光学系を有する撮像装置であっても、画像全域にわたって被写界深度拡張の効果を得ることができる。
【００８１】
以下に実際の設計例を説明する。
【００８２】
図１６は、図１５の撮像光学系の第１のレンズ１を１群１枚で、第２のレンズ２を３群３枚のレンズにて設計した例である。レンズ群２Ａ、２Ｂ、２Ｃは図１５で説明した第２のレンズ２に相当する。図１６において、撮像光学系はフィルタ１０を備えている。
【００８３】
表４、表５および表６は、図１６に示す撮像光学系の設計データをそれぞれ示している。表４と表５において、各記号は実施の形態１と同じである。
【００８４】
また、表６は変動箇所の面間隔と半画角２４°における像高を示している。表６において位置１は図１３における内側鏡筒１２の初期位置１２Ａに対応し、位置３は同じく最終位置１２Ｂに対応し、位置２は初期位置１２Ａと最終位置１２Ｂとの中間位置に対応している。また、本設計例において、位置１はおよそ１００００ｍｍの被写体距離にある被写体の像が最も合焦する位置を示し、位置２はおよそ６００ｍｍの被写体距離にある被写体の像が最も合焦する位置を示し、位置３はおよそ３００ｍｍの被写体距離にある被写体の像が最も合焦する位置を示す。
【００８５】
【表４】
2011096237.tif 000013
【００８６】
【表５】
2011096237.tif 000014
【００８７】
【表６】
2011096237.tif 000015
【００８８】
図１７の（１）、（２）および（３）は、それぞれ表６の位置２における球面収差、非点収差および歪曲収差を示している。撮像光学系の設計パラメータ及び撮影距離範囲（撮像素子４の移動範囲）の決定は、実施の形態１と同様の方法で行い、表６の最下段の通り撮像面４ｉにおける像高が一定になるよう設定している。
【００８９】
図１５の構成により、露光時間中に内側鏡筒１２を移動させて撮影した画像の周辺部は、放射状に流れることがなくなるため、画像周辺部の劣化を抑制することができる。また、１箇所のみの移動により、露光時間中に生じうる撮像面に写る像の位置の変化を低減することができる。これにより簡単な構成・制御が実現する。
【００９０】
また、実施の形態１と同様に、画像周辺部のＰＳＦは放射方向に広がらず、また、被写体距離や像高が変化してもＰＳＦの変動が少ないため、被写体距離や像高にかかわらず、単一のＰＳＦに基づいて画像を復元させることができる。これにより、画像全域にわたって被写界深度拡張の効果が得られ、かつ、より鮮鋭度の高い画像を取得することができる。
【００９１】
なお、本実施例において、内側鏡筒１２を移動させているが、外側鏡筒１３を移動させても同様の効果が得られる。
【００９２】
また、本実施の形態において復元に用いるＰＳＦは、図１５に示した撮像光学系を用いて、予め点光源を撮影することによって取得してもよい。点光源を撮影するときには、第１のレンズ及び第２のレンズは、復元の対象となる画像を取得するための撮影時の第１のレンズ及び第２のレンズの位置の変化と同一の条件で移動させる。または、復元に用いるＰＳＦをシミュレーションにより取得してもよい。ＰＳＦは、撮像装置１０１内における信号処理部９の内部または外部に設けられた記憶部に記憶される。予め設定される撮影距離範囲が複数である場合は、撮影距離範囲に応じたＰＳＦを記憶すればよい。
【００９３】
また、本実施の形態は、単一のＰＳＦを用いて画像復元を行ったが、像高に応じたＰＳＦを取得し記憶させ、各像高において対応するＰＳＦを用いて復元してもよい。後述する比較例においては、画像周辺部の劣化により像高１０割におけるＭＴＦ値が、空間周波数が低い領域（５０〜１５０ｌｐ／ｍｍ）でも０の値に近接しているため、たとえ像高に対応するＰＳＦを用いても、鮮鋭度を十分に向上させることができない。しかし、本実施形態の撮影によると、画像周辺部の劣化を抑制することができるため、図１０に示すように、空間周波数が低い領域（５０〜１５０ｌｐ／ｍｍ）においてＭＴＦ値が確保される。したがって、ＰＳＦを用いて復元を行うことにより、鮮鋭度を十分に向上させることができる。
【００９４】
（比較例）
図１８は比較例における撮像装置１０２の構成を示す模式図である。本比較例の構成は、第１のレンズ１を備えていない点で、実施の形態１および実施の形態２と異なる。撮像装置１０２は、第２のレンズ２、絞り３、撮像素子４とで構成される非テレセントリック撮像光学系と、シャッター機構５、制御部７、モーター８、信号処理部９とを備えている。
【００９５】
本比較例の撮像装置１０２における画像取得フローを説明する。まず、制御部７からの制御信号によりシャッター機構５を制御して絞り３を開放状態とする。このとき、撮像素子４は、初期位置（実線）４Ａにあり、絞り３の開放とほぼ同時に、制御部７によりモーター８を駆動し、最終位置４Ｂまで移動する。次に、撮像素子４の停止とほぼ同時に制御部７からの制御信号によりシャッター機構５を制御し絞り３を閉じる。撮像素子４は、露光時間中に検出した光を電気信号に変換して信号処理部９に出力する。信号処理部９は撮像素子４から取得したデータを処理し、画像を生成し出力する。
【００９６】
撮像素子４の初期位置４Ａは最長撮影距離に存在する被写体の像が撮像面で合焦する位置であり、最終位置４Ｂは最短撮影距離に存在する被写体の像が撮像面で合焦する位置である。これらの位置は予め設定されている。
【００９７】
以上のように、露光時間中に撮像素子４を移動させる（バックフォーカスを変化させる）ことで、予め設定された撮影距離範囲内の任意の距離における合焦位置は撮像面４ｉに存在することになるため、画像中央部においては、被写界深度拡張の効果が得られ、鮮鋭度の劣化の少ない画像となる。一方、画像周辺部においては、撮像素子４の移動と共に像高が変化するため、生成された画像は像高方向に放射状に流れてしまう。
【００９８】
以下に実際の設計例を用いて、本比較例の画像の劣化について説明する。
【００９９】
図１９は、図１８の撮像光学系を３群３枚のレンズを用いて設計した例である。レンズ群２Ａ、２Ｂ、２Ｃは、図１６を用いて説明した第２のレンズ２に相当する。図１９において、撮像光学系はフィルタ１０を備えている。
【０１００】
表７、表８および表９は、図１９に示す撮像光学系の設計データをそれぞれ示している。表７と表８において、各記号は実施の形態１と同じである。
【０１０１】
また、表９は変動箇所の面間隔と半画角２４°における像高を示している。表９において位置１は図１８おける撮像面４ｉの初期位置４Ａに対応し、位置３は同じく最終位置４Ｂに対応し、位置２は初期位置４Ａと最終位置４Ｂの中間位置に対応している。また、本設計例において、位置１はおよそ１００００ｍｍの被写体距離に存在する被写体の像が最も合焦する位置を示し、位置２はおよそ６００ｍｍの被写体距離に存在する被写体の像が最も合焦する位置を示し、位置３はおよそ３００ｍｍの被写体距離に存在する被写体の像が最も合焦する位置を示す。
【０１０２】
【表７】
2011096237.tif 000016
【０１０３】
【表８】
2011096237.tif 000017
【０１０４】
【表９】
2011096237.tif 000018
【０１０５】
図２０の（１）、（２）および（３）は、それぞれ表３の位置２における球面収差、非点収差および歪曲収差を示している。
【０１０６】
本比較例では、表９の最下段の通り像高は位置によって変化しており、図１８の構成によって撮像され生成された画像の周辺部は放射状に流れてしまうため、画像周辺部は劣化する。
【０１０７】
図２１は、図１８の構成で撮像した場合の被写体距離毎のＰＳＦの２次元輝度分布を像高０割と像高１０割のそれぞれについて示している。図２１に示す画像の撮像時には、露光時間中に表９のＲ６面（Ｒ６面とＦ１面間）を位置１、位置２、位置３の順に等速で動かしている。本比較例では、被写体距離が変化したときの中央のＰＳＦの２次元輝度分布の変化は実施の形態１と同様に撮像光学系を固定した場合と比較して大幅に減少させることができるが、像高１０割ではＰＳＦが放射状に流れてしまう。
【０１０８】
図２２は、図１８の構成で撮像した場合の被写体距離毎のＭＴＦのグラフであり、前述の図８（ａ）〜（ｅ）の手順に従って取得したものである。実施の形態１の図１０のＭＴＦグラフと比べると、像高１０割タンジェンシャルのＭＴＦが低周波領域から低下していることがわかる。
【０１０９】
また、図２３は、本比較例の被写体距離毎のチャート画像を像高０割と像高１０割のそれぞれについてシミュレーションにて取得した画像を示す図であり、図２２のＭＴＦ特性に準じた画質となっている。実施の形態１の図１１と比べると、中央の画像はほぼ同等の画質であるが、像高１０割の画像は放射状に流れていることがわかる。
【０１１０】
図２４は、本比較例において（数７）の逆フィルタを用いて図８（ｂ）の取得画像を復元し、図８（ｃ）〜（ｅ）の手順に従って取得したＭＴＦのグラフである。この復元では、実施の形態１と同様に被写体距離と像高によらず、被写体距離６００ｍｍ像高０割のＰＳＦ１種類を用いて復元を行った。いずれの被写体距離においても中央と像高１０割サジタルの高周波数側のＭＴＦは図２１の復元前のＭＴＦと比べて向上しているが、像高１０割タンジェンシャルのＭＴＦについてはほとんど変化していないことがわかる。
【０１１１】
また、図２５は、復元後の画像を示しており、図２３のＭＴＦ特性に準じた画質となっている。実施の形態１の図１３の画像と比べると、中央の画像はほぼ同等の画質であるが、像高１０割の画像は復元しきれておらず、放射状に流れていることがわかる。
【産業上の利用可能性】
【０１１２】
本発明にかかる撮像装置は、デジタルスチルカメラやデジタルビデオカメラ等の撮像装置として有用である。また測距装置等の用途にも応用できる。
【符号の説明】
【０１１３】
１００，１０１，１０２    撮像装置
１    第１のレンズ
２    第２のレンズ
３    絞り
４    撮像素子
５    シャッター機構
６    カム機構
７    制御部
８    モーター
９    信号処理部
１０    フィルタ
Ａ    第１の鏡筒
Ｂ    第２の鏡筒
Ｃ    カム筒
Ｄ    固定筒
Ａ１    第１のカムフォロア
Ｂ１    第２のカムフォロア
Ｃ１    第１のカム溝
Ｃ２    第２のカム溝
ＣＧ    第１のギア
Ｄ１    第１のガイド溝
Ｄ２    第２のガイド溝
８Ｇ    第２のギア
【図１】
2011096237.tif 000019
【図２】
2011096237.tif 000020
【図３】
2011096237.tif 000021
【図４】
2011096237.tif 000022
【図５】
2011096237.tif 000023
【図６】
2011096237.tif 000024
【図７】
2011096237.tif 000025
【図８】
2011096237.tif 000026
【図９】
2011096237.tif 000027
【図１０】
2011096237.tif 000028
【図１１】
2011096237.tif 000029
【図１２】
2011096237.tif 000030
【図１３】
2011096237.tif 000031
【図１４】
2011096237.tif 000032
【図１５】
2011096237.tif 000033
【図１６】
2011096237.tif 000034
【図１７】
2011096237.tif 000035
【図１８】
2011096237.tif 000036
【図１９】
2011096237.tif 000037
【図２０】
2011096237.tif 000038
【図２１】
2011096237.tif 000039
【図２２】
2011096237.tif 000040
【図２３】
2011096237.tif 000041
【図２４】
2011096237.tif 000042
【図２５】
2011096237.tif 000043
【手続補正書】
【提出日】平成23年6月14日(2011.6.14)
【手続補正１】
【補正対象書類名】明細書
【補正対象項目名】全文
【補正方法】変更
【補正の内容】
【発明の詳細な説明】
【技術分野】
【０００１】
本発明はカメラ等の撮像装置に関する。
【背景技術】
【０００２】
撮像装置では、被写体の位置が被写界深度の範囲内に含まれる場合に、フォーカスが合い鮮明な画像を撮像することができる。被写界深度を拡張した画像を取得するには、撮像光学系のＦナンバーを大きくすることにより対応できるが、Ｆナンバーを大きくすると、光量が低下してしまう。
【０００３】
特許文献１には、被写体および鏡筒の少なくとも一方を露光時間中に動かす構成にすることにより、Ｆナンバーを大きくすることなく被写界深度を拡張する技術が開示されている。特許文献１に開示される構成は、顕微鏡などの物体側テレセントリック光学系に有効な手法である。
【先行技術文献】
【特許文献】
【０００４】
【特許文献１】特開昭６０−６８３１２号公報
【発明の概要】
【発明が解決しようとする課題】
【０００５】
本願発明者は、広視野を撮像するカメラに特許文献１に示す手法を応用する場合には、次のような課題があることを見出した。
【０００６】
像側テレセントリック光学系において、露光時間中にレンズ鏡筒および撮像面の少なくとも一方を動かす構成を採用すると、バックフォーカスを変化させ、被写界深度を拡張する効果を得ることができる。
【０００７】
しかしながら、広視野を撮像するカメラの光学系を像側テレセントリックにしようとすると、レンズ枚数の増加により光学長が長くなるため、撮像装置の大型化や高コスト化をまねく。
【０００８】
一方、像側テレセントリックではない光学系を用いた場合、露光時間中に鏡筒および撮像面の少なくとも一方を動かすと、露光された画像の周辺部において、光軸を中心に放射状に流れが現れる。このような放射状の流れは、露光時間中に撮像面に写る像の位置（像の大きさ）が変化することが原因である。放射状の流れに対してウィナーフィルタのような画像復元フィルタを用いて処理を行っても、画像を十分に復元することは困難である。
【０００９】
本発明は、上記課題を解決するためになされたものであり、その主な目的は、被写界深度が大きく、かつ、画像の周辺部に放射状の流れが生じるのを抑制することができる撮像装置および撮像方法を提供することにある。
【課題を解決するための手段】
【００１０】
本発明の撮像装置は、第１のレンズと、前記第１のレンズを通過した光が入射する第２のレンズと、前記第２のレンズを通過した光を検出する撮像面を有する撮像素子とを含む像側非テレセントリック撮像光学系と、露光時間中に前記第１のレンズと前記第２のレンズとの間の第１距離、及び、前記第２のレンズと前記撮像素子との間の第２距離をそれぞれ変化させる位置変化部と、前記撮像素子から出力された電気信号を用いて画像を生成する信号処理部とを備え、前記撮像素子は、前記第１の距離および前記第２の距離が変化している前記露光時間中に前記撮像面に到達した光を前記電気信号に変換する。
【００１１】
本発明の撮像方法は、第１のレンズと、前記第１のレンズを通過した光が入射する第２のレンズと、前記第２のレンズを通過した光を検出する撮像面を有する撮像素子とを含む像側非テレセントリック撮像光学系と、前記撮像素子から出力された電気信号を用いて画像を生成する信号処理部とを備える撮像装置の撮像方法であって、露光時間中に、前記第１のレンズと前記第２のレンズとの間の第１距離、及び、前記第２のレンズと前記撮像素子との間の第２距離をそれぞれ変化させながら、前記撮像素子における撮像面に到達した光を取得する第１のステップと、前記信号処理部が、前記第１ステップに取得された光の電気信号に基づいて画像を生成する第２のステップとを包含する。
【発明の効果】
【００１２】
本発明によれば、第２のレンズと撮像素子との間の第２距離を変化させながら撮像面に到達した光を取得することにより、被写界深度を大きくすることができる。さらに、第１のレンズと第２のレンズとの間の第１距離を変化させながら撮像面に到達した光を取得することにより、露光時間中に撮像面に写る像の位置変化を低減することができる。このように、生成された画像の周辺部の劣化を低減することができるため、像側非テレセントリックの撮像光学系を有する撮像装置においても、被写界深度を大きくすることができる共に、画像全域にわたって鮮鋭度の高い画像を得ることができる。
【図面の簡単な説明】
【００１３】
【図１】本発明の実施の形態１における撮像装置を模式的に示す断面図
【図２】本発明の実施の形態１における撮像装置のカム機構の構造図
【図３】本発明の実施の形態１における撮像装置の撮像光学系の断面図
【図４】（１）は光学系における球面収差を示すグラフ、（２）は光学系における非点収差を示すグラフ、（３）は光学系における歪曲収差を示すグラフ
【図５】（１）から（３）は、図１の撮像装置において、第１のレンズと第２のレンズを固定して撮像した場合の被写体距離毎のＰＳＦを示す図
【図６】（１）から（３）は、図１の撮像装置において、第１のレンズと第２のレンズを固定して撮像した場合の被写体距離毎のチャート画像を示す図
【図７】（１）から（３）は、図１の撮像装置において、第１のレンズ第２のレンズを移動して撮像した場合の被写体距離毎のＰＳＦを示す図
【図８】（ａ）から（ｅ）は、ＭＴＦの導出について説明する図
【図９】（１）から（３）は、図１の撮像装置において、第１のレンズと第２のレンズを固定して撮像した場合の被写体距離毎のＭＴＦのグラフ
【図１０】（１）から（３）は、図１の撮像装置において、第１のレンズと第２のレンズを移動して撮像した場合の被写体距離毎のＭＴＦのグラフ
【図１１】（１）から（３）は、図１の撮像装置で取得した被写体距離毎の復元前のチャート画像を示す図
【図１２】（１）から（３）は、点拡がり関数に基づいて復元させた場合のＭＴＦのグラフ
【図１３】（１）から（３）は、図１の撮像装置で取得した被写体距離毎の復元後のチャート画像を示す図
【図１４】（ａ）および（ｂ）は、図１の撮像装置の異なる形態を示す模式的に示す図
【図１５】本発明の実施の形態２における撮像装置を模式的に示す断面図
【図１６】本発明の実施の形態２における撮像装置の撮像光学系の断面図
【図１７】（１）から（３）は、図１６の光学系における球面収差、非点収差および歪曲収差をそれぞれ示すグラフ
【図１８】比較例における撮像装置を模式的に示す図
【図１９】比較例における撮像装置の撮像光学系の断面図
【図２０】（１）から（３）は、図１９の光学系における球面収差、非点収差および歪曲収差をそれぞれ示すグラフ
【図２１】（１）から（３）は、図１８の撮像装置の被写体距離毎のＰＳＦを示すグラフ
【図２２】（１）から（３）は、図１８の撮像装置の被写体距離毎のＭＴＦを示すグラフ
【図２３】（１）から（３）は、図１８の撮像装置の被写体距離毎の復元前のチャート画像を示す図
【図２４】（１）から（３）は、図１８の撮像装置の被写体距離毎の復元後のＭＴＦを示すグラフ
【図２５】（１）から（３）は、図１８の撮像装置の被写体距離毎の復元後のチャート画像を示す図
【発明を実施するための形態】
【００１４】
以下本発明の実施の形態について、図面を参照しながら説明する。
【００１５】
（実施の形態１）
図１は、本発明の実施の形態１における撮像装置１００の構成を示す模式図である。撮像装置１００は、第１のレンズ１、第２のレンズ２、絞り３、および撮像面４ｉを有する撮像素子４によって構成される非テレセントリック撮像光学系と、シャッター機構５と、カム筒および固定筒を含むカム機構６と、制御部７と、モーター８と、信号処理部９とを備えている。
【００１６】
第１のレンズ１は、第２のレンズ２よりも被写体側に配置されている。被写体からの光は、第１のレンズ１を通過した後に、第２のレンズ２に入射する。第２のレンズ２は、第１のレンズ１と撮像素子４との間に配置されている。第２のレンズ２を通過した光は、撮像素子４の撮像面４ｉにおいて検出される。
【００１７】
カム機構６およびモーター８は位置変化部を構成している。モーター８は、制御部７からの制御信号に基づいて、カム機構６を動かす。カム機構６は、第１のレンズ１と第２のレンズ２との間の距離（相対位置）、及び、第２のレンズ２と撮像素子４の間の距離（相対位置）をそれぞれ変化させる。具体的には、絞り３が開放されている間（期間）に、第２のレンズ２を、初期位置（実線）２Ａから最終位置（破線）２Ｂまで移動させることによって、第２のレンズ２と撮像素子４の撮像面との間の距離を変化させる。かつ、第１のレンズ１を初期位置（実線）１Ａから最終位置（破線）１Ｂまで移動させることによって、第２のレンズ２と撮像素子４の撮像面との距離の変化に連動させて、第１のレンズ１と第２のレンズ２との間の距離を変化させる。なお、本実施形態では、絞り３をシャッターとしても機能させている。
【００１８】
撮像素子４は、絞り３が開放されている間に、撮像面４ｉに到達した光を電気信号に変換する。
【００１９】
より具体的には、絞り３が開放されている間、撮像素子４は、撮像面４ｉに入射してくる光を連続的に取得し、その光を電荷に変換し続ける。露光時間が経過した後、シャッター機構５は絞り３を閉じる。その後、撮像素子４は、露光時間に蓄積された電荷を、電気信号として信号処理部９に出力する。信号処理部９は電気信号に基づいて画像を生成する。
【００２０】
本実施形態によると、第２のレンズと撮像素子との間の距離を変化させながら撮像を行うことにより、被写界深度を大きくすることができる。
【００２１】
第２のレンズ２は、被写体に近づく方向（初期位置２Ａから最終位置２Ｂに向う方向）に動く。この動きに連動し、第１のレンズ１は、被写体から遠ざかる方向（初期位置１Ａから最終位置１Ｂに向う方向）に動く。第１のレンズ１がこのような向きに動くことにより、第１のレンズ１と第２のレンズ２との間の距離が一定の場合と比較して、撮像面４ｉにおける像の位置の変化が小さくなる。ただし、この比較は、第１のレンズ１と第２のレンズ２との間の距離が変化する場合と一定の場合との両方において、第２のレンズ２と撮像素子４との間の距離の変化が同一であることを前提としている。
【００２２】
本実施形態においては、絞り３が開放されている間に第１のレンズ１と第２のレンズ２との間の距離、及び、第２のレンズ２と撮像素子４との間の距離を変化させることにより、撮像素子４の撮像面４ｉにおける像の位置が一定（略一定）となることが好ましい。「像の位置が一定」であるとは、具体的には、像の位置変化が、その所定の時間において常に、１から２画素程度の範囲内の値をとることを言う。
【００２３】
第１のレンズ１と第２のレンズ２は、それぞれ単レンズから構成されていてもよいし、複数レンズから構成されたレンズ群であってもよい。
【００２４】
なお、上述の説明においては、絞り３が開放されている時間と、第１のレンズ１および第２のレンズ２が移動する時間とが、ほぼ一致していた。本実施形態においては、これらは一致していなくてもよい。すなわち、絞り３が開放されている時間のうちの一部のみに第１のレンズ１および第２のレンズ２が移動してもよいし、第１のレンズ１および第２のレンズ２が移動している時間の一部のみに絞り３を開放してもよい。また、第１のレンズ１および第２のレンズ２の動き自体は連続的でなくてもよく、一時的に停止してもよい。例えば、第１、第２のレンズ１、２は、０．０１秒から０．１秒程度の時間内に連続的に移動される。
【００２５】
本実施形態において、絞り３はシャッターとしての役割も果たす。この場合、「露光時間」は、絞り３を開放することにより、撮像面４ｉに光が入射する時間である。本実施形態においては、絞り３のほかに、別途シャッターを設けてもよい。この場合、シャッターとしては、例えば、仕切り板などの部材を絞り３と撮像素子４との間に設ければよい。この場合、「露光時間」は、仕切り板などの部材を開放することにより、撮像面４ｉに光が入射する時間である。また、本実施形態では、撮像素子４の電子シャッターによって、撮像面４ｉに入射する光を検出するか否かを切り替えてもよい。この場合、「露光時間」とは、撮像素子の電子シャッターが開放状態にあり、撮像面４ｉに入射する光が検出される時間である。
【００２６】
図２は、カム機構６の構成図であり、第１のレンズを保持する第１のレンズ鏡筒Ａと、第２のレンズを保持する第２のレンズ鏡筒Ｂと、第１のレンズ鏡筒Ａおよび第２のレンズ鏡筒Ｂを保持するカム筒Ｃと、カム筒Ｃを保持する固定筒Ｄとから構成されている。第１のレンズ鏡筒Ａの周りには、レンズの中心からレンズの外側に向かう方向に凸状の第１のカムフォロワＡ１が設けられており、第２のレンズ鏡筒Ｂの周りにも、レンズの中心からレンズの外側に向かう方向に凸状の第２のカムフォロワＢ１が設けられている。また、カム筒Ｃには、カム筒Ｃを貫通する第１のカム溝Ｃ１と第２のカム溝Ｃ２が設けられている。第１のカム溝Ｃ１内には第１のカムフォロワＡ１が、第２のカム溝Ｃ２内には第２のカムフォロワＢ１が配置されている。
【００２７】
第１のカム溝Ｃ１および第２のカム溝Ｃ２は、カム筒Ｃの表面において、それぞれ細長い穴を有しており、それらの長手方向は、それぞれ、撮像面４ｉから傾いている。カム筒Ｃを回転させることにより、第１のカム溝Ｃ１、第２のカム溝Ｃ２も回転移動する。そのため、第１のカム溝Ｃ１内における第１のカムフォロワＡ１の相対的な位置が変化し、第２のカム溝Ｃ２内の第２のカムフォロワＢ１の相対的な位置が変化する。上述したように、第１のカム溝Ｃ１および第２のカム溝Ｃ２の長手方向が撮像面４ｉから傾いているため、カム筒Ｃを回転させると、第１のレンズ鏡筒Ａおよび第２のレンズ鏡筒Ｂの光軸方向の位置が変化する。第１のカム溝Ｃ１および第２のカム溝Ｃ２の長手方向の傾きの大きさによって、第１のレンズ鏡筒Ａと第２のレンズ鏡筒Ｂの相対的な位置関係が決定される。カム筒Ｃの端部には、モーターからの回転を伝達する第１のギアＣＧが設けられている。
【００２８】
また、固定筒Ｄの内側には、第１のガイド溝Ｄ１および第２のガイド溝Ｄ２が設けられている。第１のガイド溝Ｄ１および第２のガイド溝Ｄ２内には、第１のカムフォロワＡ１および第２のカムフォロワＢ１が配置されている。第１のガイド溝Ｄ１は、第１のカムフォロワＡ１の光軸方向の移動範囲に設けられ、第２のガイド溝Ｄ２は、第２のカムフォロワＢ１の光軸方向の移動範囲に設けられている。すなわち、第１のガイド溝Ｄ１および第２のガイド溝Ｄ２の長手方向は、光軸に平行な方向を向いている。カム溝Ｃを回転させると、第１のカムフォロワＡ１が第１のガイド溝Ｄ１内を移動し、内第２のカムフォロワＢ１が第２のガイド溝Ｄ２を移動する。このように、第１のガイド溝Ｄ１および第２のガイド溝Ｄ２は、第１のレンズ鏡筒Ａと第２のレンズ鏡筒Ｂをそれぞれ光軸方向にガイドすることができる。
【００２９】
モーター８には、カム筒Ｃに設けられた第１のギアＣＧにモーターの回転を伝達するための第２のギア８Ｇが設けられている。このような構成により、図１の絞り３の開放時つまり露光時間中にモーター８を回転させることでカム筒Ｃが回転し、カム筒Ｃの回転に伴い第１のレンズ鏡筒Ａと第２のレンズ鏡筒Ｂがそれぞれ光軸方向に移動する。第１のレンズ鏡筒Ａと第２のレンズ鏡筒Ｂの移動により、第２のレンズ２と撮像素子４の撮像面との距離の変化に連動して第１のレンズ１と第２のレンズ２との距離が変化する。
【００３０】
撮像装置１００における画像取得フローの一例を説明する。まず、制御部７からの制御信号によりシャッター機構５を制御して、絞り３を開放状態とする。第１のレンズ１と第２のレンズ２は、それぞれ、初期位置１Ａ、１Ｂにある。絞り３の開放とほぼ同時に、制御部７によりモーター８が駆動され、カム機構６を介して、第１のレンズ１と第２のレンズ２は最終位置１Ｂ、２Ｂまで動かされる。このとき、第２のレンズ２及び絞り３は一体となって移動させる。
【００３１】
第１のレンズ１と第２のレンズ２の移動量はそれぞれａ、ｂとなるように、言い換えると、第１のレンズ１と第２のレンズ２との距離の変化量がａ＋ｂ、第２のレンズ２と撮像素子４の撮像面との距離の変化量がｂとなるように設計されている。第１のレンズ１と第２のレンズ２との間の距離は、移動後、ａ＋ｂだけ短くなり、第２のレンズ２と撮像素子４の撮像面との間の距離は、ｂだけ短くなる。
【００３２】
撮像光学系の設計パラメータとａ、ｂの値を適正に設定することにより、露光時間中は撮像面４ｉにおける像の大きさを常に一定にすることができる。詳細は後述する。次に、第１のレンズ１と第２のレンズ２の停止とほぼ同時に制御部７からの制御信号によりシャッター機構５を制御し絞り３を閉じる。撮像素子４は、露光時間中に検出した光を電気信号に変換して信号処理部９に出力する。信号処理部９は撮像素子４から取得したデータを処理して、単一の画像を生成し出力する。
【００３３】
ここで、第２のレンズ２の初期位置２Ａは、最長撮影距離に存在する被写体の像が撮像面で合焦する位置であり、最終位置２Ｂは、最短撮影距離に存在する被写体の像が撮像面で合焦する位置である。最長撮影距離は、撮像装置１００によって焦点の合った撮像を行うことが望まれる被写体距離の範囲のうち最も大きい距離であり、最短撮影距離は、同様の被写体距離の範囲のうち最も小さい距離である。これらは、撮像装置１００の仕様に応じて予め設定されている。本実施形態では、初期位置２Ａが最長撮影距離に、最終位置２Ａが最短撮影距離に対応しているが、これらは逆であってもよい。この場合、第１のレンズ１の初期位置１Ａおよび最終位置１Ｂも逆になる。また、最長撮影距離から最短撮影距離までの範囲（撮影距離範囲）は、予めモードに応じて複数設定させてもよい。
【００３４】
以上のように、露光時間中に第２のレンズ２を移動させる（バックフォーカスを変化させる）ことにより、予め設定された撮影距離範囲内の任意の距離における被写体の合焦位置は撮像面４ｉに存在することになる。これにより、被写界深度を拡張することができる。さらに、図１に示したように、第２のレンズ２の移動と連動した第１のレンズ１の移動により、第２のレンズ２の移動により生じうる像の位置の変化を低減することができる。これにより、像側が非テレセントリックの撮像光学系を有する撮像装置であっても、画像全域にわたって被写界深度拡張の効果を得ることができる。
【００３５】
以下に実際の設計例を説明する。
【００３６】
図３は、図１の撮像光学系の第１のレンズを１群１枚で、第２のレンズ２を３群３枚のレンズにて設計した例である。レンズ群２Ａ、２Ｂ、２Ｃは図１で説明した第２のレンズ２に相当する。図３において、撮像光学系はフィルタ１０を備えている。
【００３７】
表１、表２および表３は、図３に示す撮像光学系の設計データをそれぞれ示している。表１と表２において、Ｒｉは各面の近軸曲率半径（ｍｍ）、ｄｉは各面における、隣接面との面中心間隔（ｍｍ）、ｎｄはレンズもしくはフィルタのｄ線の屈折率、νｄはレンズもしくはフィルタのｄ線のアッベ数を示している。また、非球面形状は、面頂点の接平面から光軸方向の距離をｘ（ｍｍ）、光軸からの高さをｈ（ｍｍ）として、ｒを近軸曲率半径、ｋを円錐定数、Ａｍ（ｍ＝４，６，８，１０）を第ｍ次の非球面係数としたとき（数１）で表される。
【数１】
2011096237.tif 000044
【００３８】
また、表３は変動箇所の面間隔と半画角２４°における像高を示している。表３において位置１は、図１における第１のレンズ１と第２のレンズ２の初期位置１Ａ、２Ａに対応し、位置３は同じく最終位置１Ｂ、２Ｂに対応し、位置２は初期位置１Ａ、２Ａと最終位置１Ｂ、２Ｂとの中間位置に対応している。また、本設計例において、位置１はおよそ１００００ｍｍの被写体距離にある被写体の像が最も合焦する位置を示し、位置２はおよそ６００ｍｍの被写体距離にある被写体の像が最も合焦する位置を示し、位置３はおよそ３００ｍｍの被写体距離にある被写体の像が最も合焦する位置を示す。
【００３９】
【表１】
2011096237.tif 000045
【００４０】
【表２】
2011096237.tif 000046
【００４１】
【表３】
2011096237.tif 000047
【００４２】
図４の（１）、（２）および（３）は、それぞれ表３の位置２における球面収差、非点収差および歪曲収差を示している。
【００４３】
撮像光学系の設計パラメータ及び第２のレンズ２の初期位置２Ａおよび移動距離ｂの決定は、レンズ収差の影響及び被写界深度を勘案した上で最適値を導き出すことによって行った。また、これに伴い、第１のレンズ１の初期位置１Ａおよび移動距離ａは、撮像面４ｉにおける像高が表３の最下段のように一定になるよう、つまり、第２のレンズ２の移動により生じうる像の位置変化が生じないように設定している。これにより、露光時間中に第１のレンズ及び第２のレンズの位置を変化させて撮影した画像の周辺部は、放射状に流れることがなくなるため、画像周辺部の劣化を抑制することができる。
【００４４】
次に、本実施の形態の効果について、撮像光学系を固定した場合（比較例）と比較して詳細に説明する。
【００４５】
図５は、撮像光学系を表３の位置２の状態に固定した場合の被写体距離毎のＰＳＦ（Ｐｏｉｎｔ  Ｓｐｒｅａｄ  Ｆｕｎｃｔｉｏｎ）の２次元強度分布を像高０割と像高１０割のそれぞれについて示している。なお、「像高」とは、画像中心からの距離に相当し、像高０割は、画像中心部分、像高１０割は画像中心からの距離が最大となる部分のことを言う。また、２次元強度分布の各グラフの左側に配置されるグラフがタンジェンシャル方向のＰＳＦ断面を表し、下側に配置されるグラフがサジタル方向のＰＳＦ断面を表している。撮像光学系を位置２の状態に固定した場合では、被写体距離や像高によってＰＳＦの２次元強度分布が大きく変化することがわかる。
【００４６】
また、図６は、撮像光学系を表３の位置２の状態に固定した場合の被写体距離毎のチャート画像を、像高０割と像高１０割のそれぞれについてシミュレーションによって取得した画像を示す図である。位置２は被写体距離６００ｍｍにある被写体の像が最も合焦するため、図６において、被写体距離６００ｍｍで最も鮮鋭な画像となっており、被写体距離３００ｍｍと１００００ｍｍでは、画像が劣化していることがわかる。
【００４７】
図７は、本実施の形態における前述の画像取得フローで撮像した場合の被写体距離毎のＰＳＦの２次元輝度分布を像高０割と像高１０割のそれぞれについて示している。露光時間中にＲ２面（Ｒ２面と絞り間）とＲ８面（Ｒ８面とＦ１面間）の面間隔が、それぞれ表３の位置１、位置２、位置３の状態になるよう、順に等速で動かしている。このような画像取得フローにより、図７に示すように、被写体距離や像高が変化したときのＰＳＦの２次元強度分布の変化を大幅に減少させることができる。
【００４８】
図８は、撮像光学系のＭＴＦ（Ｍｏｄｕｌａｔｉｏｎ  Ｔｒａｎｓｆｅｒ  Ｆｕｎｃｔｉｏｎ）を測定するための一般的な手順を示す図である。図８（ａ）は、白黒の境界が完全なステップ状になっているチャートである。図８（ａ）のチャートを撮像すると、図８（ｂ）の画像が取得でき、白黒の境界部の鮮鋭度は撮像光学系の点拡がり関数によって劣化する。図８（ｃ）は、図８（ｂ）の画像の階調の断面を示しており、これを微分すると図８（ｄ）のＬＳＦ（Ｌｉｎｅ  Ｓｐｒｅａｄ  Ｆｕｎｃｔｉｏｎ）が得られる。ＬＳＦをフーリエ変換することにより、図８（ｅ）のような撮像光学系のＭＴＦを取得することができる。ここで、図８（ａ）のチャートをタンジェンシャル方向とサジタル方向でそれぞれ撮像し、それぞれのＬＳＦをフーリエ変換することによりタンジェンシャル方向のＭＴＦとサジタル方向のＭＴＦを取得することができる。一般的に、ＭＴＦ値が高いほど、画像の鮮鋭度は高くなる。
【００４９】
図９は、撮像光学系を表３の位置２の状態に固定した場合の被写体距離毎のＭＴＦのグラフである。図９のＭＴＦは、前述の図８（ａ）〜（ｅ）の手順に従って取得したものである。ここで、図８（ｂ）に相当する画像は、撮像素子の画素ピッチを１．８μｍとしてシミュレーションによって取得している。位置２では被写体距離６００ｍｍにある被写体の像が最も合焦するため、図９において、被写体距離３００ｍｍと１００００ｍｍでは、被写体距離６００ｍｍに比べて高周波数側のＭＴＦが低下していることがわかる。なお、図６で示したチャート画像は、図９のＭＴＦに準じた画質となっている。
【００５０】
図１０は、本実施の形態における前述の画像取得フローで撮像した場合の被写体距離毎のＭＴＦのグラフであり、前述の図８の（ａ）〜（ｅ）の手順に従って取得したものである。図９の被写体距離３００ｍｍと１００００ｍｍにおけるＭＴＦグラフと比べて、高周波数側のＭＴＦの低下が抑制されていることがわかる。
【００５１】
図１１は、本実施形態における前述の画像取得フローで撮像した場合の被写体距離毎のチャート画像を像高０割と像高１０割のそれぞれについてシミュレーションにて取得した画像を示す図である。図１１に示す画像は、図１０のＭＴＦ特性に準じた画質となっている。図６の比較例（位置２に固定して取得した画像）と比べると、被写体距離６００ｍｍの画像の鮮鋭度は多少劣化しているものの、被写体距離３００ｍｍと１００００ｍｍの画像の鮮鋭度については向上していることがわかる。また、中央部と比較した画像周辺部の劣化も最小限に抑制できていることがわかる。
【００５２】
次に、劣化画像（撮影画像）をＰＳＦに基づいて復元する方法について説明する。劣化前の原画像をｆ（ｘ，ｙ）とし、ＰＳＦをｈ（ｘ，ｙ）とすると、劣化後（撮影後）の画像ｇ（ｘ，ｙ）は、（数２）で表すことができる。
【数２】
2011096237.tif 000048
【００５３】
（数２）の両辺をフーリエ変換すると（数３）のようになる。
【数３】
2011096237.tif 000049
【００５４】
ここで、（数４）の逆フィルタＨｉｎｖ（ｕ，ｖ）を劣化画像Ｇ（ｕ，ｖ）に適用することによって、（数５）のように原画像の２次元フーリエ変換Ｆ（ｕ，ｖ）が求まる。これを逆フーリエ変換することによって、原画像ｆ（ｘ，ｙ）を復元画像として得ることができる。
【数４】
2011096237.tif 000050
【数５】
2011096237.tif 000051
【００５５】
しかし、Ｈ（ｕ，ｖ）が０あるいは極めて小さい値となるとＨｉｎｖ（ｕ，ｖ）が発散するため、（数６）のようなウィーナフィルタＨｗ（ｕ，ｖ）を用いて劣化画像を復元する。
【数６】
2011096237.tif 000052
【００５６】
（数６）においてＮ（ｕ，ｖ）はノイズである。通常はノイズと原画像Ｆ（ｕ，ｖ）は未知であるため、実際には定数ｋを用い（数７）のフィルタにて劣化画像を復元する。
【数７】
2011096237.tif 000053
【００５７】
図１２は、本実施の形態において（数７）の逆フィルタを用いて図８（ｂ）に相当する取得画像（撮影画像）を復元し、図８（ｃ）〜（ｅ）の手順に従って取得したＭＴＦのグラフである。なお、（数７）における定数ｋは、ｋを変化させた際のそれぞれの復元画像の鮮鋭度を比較して決定している。図７に示したとおり、本実施の形態では、被写体距離や像高が変化してもＰＳＦの変動は少ないので、被写体距離や像高にかかわらず単一のＰＳＦに基づいて画像全体を復元させることができる。本実施の形態では、露光時間中に撮像素子の撮像面における像の位置変化が生じないように第１のレンズ及び第２のレンズの位置を変化させながら点光源を撮影することによって取得し画像（被写体距離６００ｍｍ像高０割）のＰＳＦを用いて復元を行った。いずれの被写体距離においても高周波数側のＭＴＦが図１０の復元前のＭＴＦと比べて向上していることがわかる。
【００５８】
また、図１３は、図１１の復元後の画像を示しており、図１２のＭＴＦ特性に準じた画質となっている。復元後の画像は、図１１の復元前の画像に比べて鮮鋭度が向上していることがわかる。
【００５９】
なお、本実施形態における画像復元処理は、図１に示した信号処理部９において実行される。
【００６０】
以上のように、本実施の形態においては、カム機構６及びモーター８を含む位置変化部により、第１のレンズ１と第２のレンズ２を連動して移動させながら露光を行う。これにより、露光時間中に生じうる撮像面に写る像の位置変化を低減することができるため、生成された画像の周辺部の劣化を低減することができる。これにより、像側が非テレセントリック光学系である撮像光学系を有する撮像装置であっても、画像全域にわたって被写界深度拡張の効果を得ることができる。
【００６１】
さらに、画像周辺部のＰＳＦが放射方向に広がらず、また、被写体距離や像高が変化してもＰＳＦの変動が少ないため、被写体距離や像高にかかわらず、単一のＰＳＦに基づいて画像を復元させることができる。これにより、画像全域にわたって被写界深度拡張の効果が得られ、かつ、より鮮鋭度の高い画像を取得することができる。また、単一のＰＳＦに基づいて画像を復元することができるため、画像位置毎のＰＳＦを記憶させておく必要がなくなり、演算負荷やメモリ消費を抑制することができる。
【００６２】
なお、本実施の形態では撮像素子４を固定して第１のレンズ１と絞り３および第２のレンズ２を移動させているが、本発明はこれに限るものではない。すなわち、第１のレンズ１と第２のレンズ２との距離の変化量がａ＋ｂ、第２のレンズ２と撮像素子４の撮像面との距離の変化量がｂとなればよいので、例えば、図１４（ａ）に示すように、第２のレンズ２および絞り３を固定して、第１のレンズ１と撮像素子４を移動させる構成であってもよい。図１４（ａ）の場合であっても表３の面間隔の関係は同じであり、第１のレンズ１の移動量と第２のレンズ２の移動量を図１のａ、ｂと対応させて記述するとそれぞれ、ａ＋ｂ、ｂとなる。同様に、図１４（ｂ）のように第１のレンズ１を固定して第２のレンズ２と絞り３および撮像素子４を移動させる構成であってもよい。図１４（ｂ）の場合であっても表３の面間隔の関係は同じであり、第２のレンズ２と絞り３の移動量と撮像素子４の移動量を図１のａ、ｂと対応させて記述すると、それぞれａ＋ｂ、ａとなる。図１４（ａ）、（ｂ）においても、図２と同様のカム溝およびカムフォロワを用いることができる。
【００６３】
また、本実施の形態において復元に用いるＰＳＦは、図１に示した撮像光学系を用いて、予め点光源を撮影することによって取得してもよい。点光源を撮影するときには、第１のレンズ１及び第２のレンズ２は、復元の対象となる画像を取得するための撮影時の第１のレンズ１及び第２のレンズ２の位置の変化と同一の条件で移動させる。または、復元に用いるＰＳＦをシミュレーションにより取得してもよい。ＰＳＦは、撮像装置１００内における信号処理部９の内部または外部に設けられた記憶部に記憶される。予め設定される撮影距離範囲が複数である場合は、撮影距離範囲に応じたＰＳＦを記憶すればよい。
【００６４】
また、本実施の形態は、単一のＰＳＦを用いて画像復元を行ったが、像高に応じたＰＳＦを取得し記憶させ、各像高において対応するＰＳＦを用いて復元してもよい。後述する比較例においては、画像周辺部の劣化により像高１０割におけるＭＴＦ値が、空間周波数が低い領域（５０〜１５０ｌｐ／ｍｍ）でも０の値に近接しているため、たとえ像高に対応するＰＳＦを用いても、鮮鋭度を十分に向上させることができない。しかし、本実施形態の撮影によると、画像周辺部の劣化を抑制することができるため、図１０に示すように、空間周波数が低い領域（５０〜１５０ｌｐ／ｍｍ）においてＭＴＦ値が確保される。したがって、ＰＳＦを用いて復元を行うことにより、鮮鋭度を十分に向上させることができる。
【００６５】
（実施の形態２）
以下、第１のレンズ１と第２のレンズ２との間の距離の変化量と、第２のレンズ２と撮像素子４の撮像面との間の距離の変化量が同量の構成を説明する。
【００６６】
図１５は、本実施形態における撮像装置１０１の構成を示す模式図である。撮像装置１０１は、第１のレンズ１、絞り３、第２のレンズ２、撮像素子４とで構成される非テレセントリック撮像光学系と、シャッター機構５、制御部７、モーター８、信号処理部９とを備えている。第２のレンズ２および絞り３は内側鏡筒１２によって保持され、第１のレンズ１および撮像素子４は外側鏡筒１３によって保持されている。
【００６７】
内部鏡筒１２およびモーター８は位置変化部を構成している。モーター８は、制御部７からの制御信号に基づいて、内部鏡筒１２を、初期位置（実線）１２Ａから最終位置（破線）１２Ｂまで動かす。内部鏡筒１２が動くと、内部鏡筒１２によって保持されている第２のレンズ２および絞り３が移動する。このとき、外部鏡筒１２によって保持されている第１のレンズ１および撮像素子４の位置は変化しないため、第１のレンズ１と第２のレンズ２との間の距離（相対位置）、及び、第２のレンズ２と撮像素子４の間の距離（相対位置）がそれぞれ変化する。
【００６８】
撮像素子４は、絞り３が開放されている間に、撮像面４ｉに到達した光を電気信号に変換する。なお、本実施形態では、絞り３をシャッターとしても機能させている。
【００６９】
より具体的には、絞り３が開放されている間、撮像素子４は、撮像面４ｉに入射してくる光を連続的に取得し、その光を電荷に変換し続ける。露光時間が経過した後、シャッター機構５は絞り３を閉じる。その後、撮像素子４は、露光時間に蓄積された電荷を、電気信号として信号処理部９に出力する。信号処理部９は電気信号に基づいて画像を生成する。
【００７０】
本実施形態によると、第２のレンズと撮像素子との間の距離を変化させながら撮像を行うことにより、被写界深度を大きくすることができる。
【００７１】
絞りが開放されている間、第２のレンズ２は、被写体に近づく方向に、距離Ｃだけ動き、第１のレンズ１の位置は変化しない。このように、第２のレンズ２と第１のレンズ１との間の距離が距離ｃだけ変化することにより、第１のレンズ１と第２のレンズとの間の距離が一定の場合と比較して、撮像面４ｉにおける像の位置の変化が小さくなる。
【００７２】
本実施形態においては、絞り３が開放されている間に第１のレンズ１と第２のレンズ２との間の距離、及び、第２のレンズ２と撮像素子４の間の距離を変化させることにより、撮像素子４の撮像面４ｉにおける像の位置が一定（略一定）となることが好ましい。「像の位置が一定」であるとは、具体的には、像の位置変化が、その所定の時間において常に、１から２画素程度の範囲内の値をとることを言う。
【００７３】
第１のレンズ１と第２のレンズ２は、それぞれ単レンズから構成されていてもよいし、複数レンズから構成されたレンズ群であってもよい。
【００７４】
なお、上述の説明においては、絞り３が開放されている時間と、内部鏡筒１２が移動する時間とが、ほぼ一致していた。本実施形態においては、これらは一致していなくてもよい。すなわち、絞り３が開放されている時間のうちの一部のみに内部鏡筒１２が移動してもよいし、内部鏡筒１２が移動している時間の一部のみに絞り３を開放してもよい。また、内部鏡筒１２の動き自体は連続的でなくてもよく、一時的に停止してもよい。内部鏡筒１２は、例えば、０．０１秒から０．１秒程度の時間内に連続的に移動される。
【００７５】
本実施形態において、絞り３はシャッターとしての役割も果たす。この場合、「露光時間」は、絞り３を開放することにより、撮像面４ｉに光が入射する時間である。本実施形態においては、絞り３のほかに、別途シャッターを設けてもよい。この場合、シャッターとしては、例えば、仕切り板などの部材を絞り３と撮像素子４との間に設ければよい。この場合、「露光時間」は、仕切り板などの部材を開放することにより、撮像面４ｉに光が入射する時間である。また、本実施形態では、撮像素子４内の電子シャッターによって、撮像面４ｉに入射する光を検出するか否かを切り替えてもよい。この場合、「露光時間」とは、撮像素子の電子シャッターが開放状態にあり、撮像面４ｉに入射する光が検出される時間である。
【００７６】
本実施形態の撮像装置１０１における画像取得フローの一例を説明する。まず、制御部７からの制御信号によりシャッター機構５を制御して絞り３を開放状態とする。このとき、第２のレンズ２および絞り３を保持する内側鏡筒１２は、初期位置１２Ａに配置されている。絞り３の開放とほぼ同時に、制御部７によりモーター８を駆動し、初期位置１２Ａから最終位置１２Ｂまで移動する。このときの内側鏡筒１２の移動量はｃである。
【００７７】
本実施の形態は、実施の形態１において、第１のレンズ１と第２のレンズ２との距離の変化量と、第２のレンズ２と撮像素子４の撮像面との距離の変化量が同量（ａ＝０）となるよう、かつ、露光時間中、撮像面４ｉにおける像の大きさの変化が小さくなるように撮像光学系を設計したものである。ａ＝０とすることにより、移動させる箇所を一箇所のみとすることができるため、実施の形態１に比べて構成および制御を簡便にすることができる。
【００７８】
内側鏡筒１２の停止とほぼ同時に、制御部７からの制御信号によりシャッター機構５を制御して、絞り３を閉じる。撮像素子４は、露光時間中に検出した光を電気信号に変換して信号処理部９に出力する。信号処理部９は撮像素子４から取得したデータを処理して、単一の画像を生成し出力する。
【００７９】
ここで、内側鏡筒１２の初期位置１２Ａは、最長撮影距離にある被写体の像が撮像面で合焦する位置であり、最終位置１２Ｂは最短撮影距離にある被写体の像が撮像面で合焦する位置である。これらは、撮像装置１０１の仕様に応じて予め設定されている。本実施形態では、初期位置１２Ａが最長撮影距離に、最終位置１２Ａが最短撮影距離に対応しているが、これらは逆であってもよい。また、最長撮影距離から最短撮影距離までの範囲（撮影距離範囲）は、予めモードに応じて複数設定させてもよい。
【００８０】
以上のように、露光時間中に内側鏡筒１２を移動させてバックフォーカスを変化させることにより、予め設定された撮影距離範囲内の任意の距離における合焦位置は撮像面４ｉ上に存在することになる。これにより、被写界深度を拡張することができる。さらに、内側鏡筒１２の移動により、第１のレンズ１と第２のレンズ２との距離は、第２のレンズ２の移動により生じうる位置変化を低減する方向に変化する。これにより、像側が非テレセントリック光学系である撮像光学系を有する撮像装置であっても、画像全域にわたって被写界深度拡張の効果を得ることができる。
【００８１】
以下に実際の設計例を説明する。
【００８２】
図１６は、図１５の撮像光学系の第１のレンズ１を１群１枚で、第２のレンズ２を３群３枚のレンズにて設計した例である。レンズ群２Ａ、２Ｂ、２Ｃは図１５で説明した第２のレンズ２に相当する。図１６において、撮像光学系はフィルタ１０を備えている。
【００８３】
表４、表５および表６は、図１６に示す撮像光学系の設計データをそれぞれ示している。表４と表５において、各記号は実施の形態１と同じである。
【００８４】
また、表６は変動箇所の面間隔と半画角２４°における像高を示している。表６において位置１は図１３における内側鏡筒１２の初期位置１２Ａに対応し、位置３は同じく最終位置１２Ｂに対応し、位置２は初期位置１２Ａと最終位置１２Ｂとの中間位置に対応している。また、本設計例において、位置１はおよそ１００００ｍｍの被写体距離にある被写体の像が最も合焦する位置を示し、位置２はおよそ６００ｍｍの被写体距離にある被写体の像が最も合焦する位置を示し、位置３はおよそ３００ｍｍの被写体距離にある被写体の像が最も合焦する位置を示す。
【００８５】
【表４】
2011096237.tif 000054
【００８６】
【表５】
2011096237.tif 000055
【００８７】
【表６】
2011096237.tif 000056
【００８８】
図１７の（１）、（２）および（３）は、それぞれ表６の位置２における球面収差、非点収差および歪曲収差を示している。撮像光学系の設計パラメータ及び撮影距離範囲（撮像素子４の移動範囲）の決定は、実施の形態１と同様の方法で行い、表６の最下段の通り撮像面４ｉにおける像高が一定になるよう設定している。
【００８９】
図１５の構成により、露光時間中に内側鏡筒１２を移動させて撮影した画像の周辺部は、放射状に流れることがなくなるため、画像周辺部の劣化を抑制することができる。また、１箇所のみの移動により、露光時間中に生じうる撮像面に写る像の位置の変化を低減することができる。これにより簡単な構成・制御が実現する。
【００９０】
また、実施の形態１と同様に、画像周辺部のＰＳＦは放射方向に広がらず、また、被写体距離や像高が変化してもＰＳＦの変動が少ないため、被写体距離や像高にかかわらず、単一のＰＳＦに基づいて画像を復元させることができる。これにより、画像全域にわたって被写界深度拡張の効果が得られ、かつ、より鮮鋭度の高い画像を取得することができる。
【００９１】
なお、本実施例において、内側鏡筒１２を移動させているが、外側鏡筒１３を移動させても同様の効果が得られる。
【００９２】
また、本実施の形態において復元に用いるＰＳＦは、図１５に示した撮像光学系を用いて、予め点光源を撮影することによって取得してもよい。点光源を撮影するときには、第１のレンズ及び第２のレンズは、復元の対象となる画像を取得するための撮影時の第１のレンズ及び第２のレンズの位置の変化と同一の条件で移動させる。または、復元に用いるＰＳＦをシミュレーションにより取得してもよい。ＰＳＦは、撮像装置１０１内における信号処理部９の内部または外部に設けられた記憶部に記憶される。予め設定される撮影距離範囲が複数である場合は、撮影距離範囲に応じたＰＳＦを記憶すればよい。
【００９３】
また、本実施の形態は、単一のＰＳＦを用いて画像復元を行ったが、像高に応じたＰＳＦを取得し記憶させ、各像高において対応するＰＳＦを用いて復元してもよい。後述する比較例においては、画像周辺部の劣化により像高１０割におけるＭＴＦ値が、空間周波数が低い領域（５０〜１５０ｌｐ／ｍｍ）でも０の値に近接しているため、たとえ像高に対応するＰＳＦを用いても、鮮鋭度を十分に向上させることができない。しかし、本実施形態の撮影によると、画像周辺部の劣化を抑制することができるため、図１０に示すように、空間周波数が低い領域（５０〜１５０ｌｐ／ｍｍ）においてＭＴＦ値が確保される。したがって、ＰＳＦを用いて復元を行うことにより、鮮鋭度を十分に向上させることができる。
【００９４】
（比較例）
図１８は比較例における撮像装置１０２の構成を示す模式図である。本比較例の構成は、第１のレンズ１を備えていない点で、実施の形態１および実施の形態２と異なる。撮像装置１０２は、第２のレンズ２、絞り３、撮像素子４とで構成される非テレセントリック撮像光学系と、シャッター機構５、制御部７、モーター８、信号処理部９とを備えている。
【００９５】
本比較例の撮像装置１０２における画像取得フローを説明する。まず、制御部７からの制御信号によりシャッター機構５を制御して絞り３を開放状態とする。このとき、撮像素子４は、初期位置（実線）４Ａにあり、絞り３の開放とほぼ同時に、制御部７によりモーター８を駆動し、最終位置４Ｂまで移動する。次に、撮像素子４の停止とほぼ同時に制御部７からの制御信号によりシャッター機構５を制御し絞り３を閉じる。撮像素子４は、露光時間中に検出した光を電気信号に変換して信号処理部９に出力する。信号処理部９は撮像素子４から取得したデータを処理し、画像を生成し出力する。
【００９６】
撮像素子４の初期位置４Ａは最長撮影距離に存在する被写体の像が撮像面で合焦する位置であり、最終位置４Ｂは最短撮影距離に存在する被写体の像が撮像面で合焦する位置である。これらの位置は予め設定されている。
【００９７】
以上のように、露光時間中に撮像素子４を移動させる（バックフォーカスを変化させる）ことで、予め設定された撮影距離範囲内の任意の距離における合焦位置は撮像面４ｉに存在することになるため、画像中央部においては、被写界深度拡張の効果が得られ、鮮鋭度の劣化の少ない画像となる。一方、画像周辺部においては、撮像素子４の移動と共に像高が変化するため、生成された画像は像高方向に放射状に流れてしまう。
【００９８】
以下に実際の設計例を用いて、本比較例の画像の劣化について説明する。
【００９９】
図１９は、図１８の撮像光学系を３群３枚のレンズを用いて設計した例である。レンズ群２Ａ、２Ｂ、２Ｃは、図１６を用いて説明した第２のレンズ２に相当する。図１９において、撮像光学系はフィルタ１０を備えている。
【０１００】
表７、表８および表９は、図１９に示す撮像光学系の設計データをそれぞれ示している。表７と表８において、各記号は実施の形態１と同じである。
【０１０１】
また、表９は変動箇所の面間隔と半画角２４°における像高を示している。表９において位置１は図１８おける撮像面４ｉの初期位置４Ａに対応し、位置３は同じく最終位置４Ｂに対応し、位置２は初期位置４Ａと最終位置４Ｂの中間位置に対応している。また、本設計例において、位置１はおよそ１００００ｍｍの被写体距離に存在する被写体の像が最も合焦する位置を示し、位置２はおよそ６００ｍｍの被写体距離に存在する被写体の像が最も合焦する位置を示し、位置３はおよそ３００ｍｍの被写体距離に存在する被写体の像が最も合焦する位置を示す。
【０１０２】
【表７】
2011096237.tif 000057
【０１０３】
【表８】
2011096237.tif 000058
【０１０４】
【表９】
2011096237.tif 000059
【０１０５】
図２０の（１）、（２）および（３）は、それぞれ表３の位置２における球面収差、非点収差および歪曲収差を示している。
【０１０６】
本比較例では、表９の最下段の通り像高は位置によって変化しており、図１８の構成によって撮像され生成された画像の周辺部は放射状に流れてしまうため、画像周辺部は劣化する。
【０１０７】
図２１は、図１８の構成で撮像した場合の被写体距離毎のＰＳＦの２次元輝度分布を像高０割と像高１０割のそれぞれについて示している。図２１に示す画像の撮像時には、露光時間中に表９のＲ６面（Ｒ６面とＦ１面間）を位置１、位置２、位置３の順に等速で動かしている。本比較例では、被写体距離が変化したときの中央のＰＳＦの２次元輝度分布の変化は実施の形態１と同様に撮像光学系を固定した場合と比較して大幅に減少させることができるが、像高１０割ではＰＳＦが放射状に流れてしまう。
【０１０８】
図２２は、図１８の構成で撮像した場合の被写体距離毎のＭＴＦのグラフであり、前述の図８（ａ）〜（ｅ）の手順に従って取得したものである。実施の形態１の図１０のＭＴＦグラフと比べると、像高１０割タンジェンシャルのＭＴＦが低周波領域から低下していることがわかる。
【０１０９】
また、図２３は、本比較例の被写体距離毎のチャート画像を像高０割と像高１０割のそれぞれについてシミュレーションにて取得した画像を示す図であり、図２２のＭＴＦ特性に準じた画質となっている。実施の形態１の図１１と比べると、中央の画像はほぼ同等の画質であるが、像高１０割の画像は放射状に流れていることがわかる。
【０１１０】
図２４は、本比較例において（数７）の逆フィルタを用いて図８（ｂ）の取得画像を復元し、図８（ｃ）〜（ｅ）の手順に従って取得したＭＴＦのグラフである。この復元では、実施の形態１と同様に被写体距離と像高によらず、被写体距離６００ｍｍ像高０割のＰＳＦ１種類を用いて復元を行った。いずれの被写体距離においても中央と像高１０割サジタルの高周波数側のＭＴＦは図２１の復元前のＭＴＦと比べて向上しているが、像高１０割タンジェンシャルのＭＴＦについてはほとんど変化していないことがわかる。
【０１１１】
また、図２５は、復元後の画像を示しており、図２３のＭＴＦ特性に準じた画質となっている。実施の形態１の図１３の画像と比べると、中央の画像はほぼ同等の画質であるが、像高１０割の画像は復元しきれておらず、放射状に流れていることがわかる。
【産業上の利用可能性】
【０１１２】
本発明にかかる撮像装置は、デジタルスチルカメラやデジタルビデオカメラ等の撮像装置として有用である。また測距装置等の用途にも応用できる。
【符号の説明】
【０１１３】
１００，１０１，１０２    撮像装置
１    第１のレンズ
２    第２のレンズ
３    絞り
４    撮像素子
５    シャッター機構
６    カム機構
７    制御部
８    モーター
９    信号処理部
１０    フィルタ
Ａ    第１の鏡筒
Ｂ    第２の鏡筒
Ｃ    カム筒
Ｄ    固定筒
Ａ１    第１のカムフォロア
Ｂ１    第２のカムフォロア
Ｃ１    第１のカム溝
Ｃ２    第２のカム溝
ＣＧ    第１のギア
Ｄ１    第１のガイド溝
Ｄ２    第２のガイド溝
８Ｇ    第２のギア
【手続補正２】
【補正対象書類名】特許請求の範囲
【補正対象項目名】全文
【補正方法】変更
【補正の内容】
【特許請求の範囲】
【請求項１】
第１のレンズと、前記第１のレンズを通過した光が入射する第２のレンズと、前記第２のレンズを通過した光を検出する撮像面を有する撮像素子とを含む像側非テレセントリック撮像光学系と、
露光時間中に前記第１のレンズと前記第２のレンズとの間の第１距離、及び、前記第２のレンズと前記撮像素子との間の第２距離をそれぞれ変化させる位置変化部と、
前記撮像素子から出力された電気信号を用いて画像を生成する信号処理部とを備え、
前記撮像素子は、前記第１の距離および前記第２の距離が変化している前記露光時間中に前記撮像面に到達した光を前記電気信号に変換する、撮像装置。
【請求項２】
前記露光時間中に前記第２の距離が所定量変化する場合に、前記第１の距離が変化しない場合と比較して、前記撮像面における像の位置の変化が小さくなるように前記第１距離を変化させる、請求項１に記載の撮像装置。
【請求項３】
前記位置変化部が前記第１距離および前記第２距離を変化させることにより、前記露光時間中において、前記撮像面における像の位置が一定になる、請求項１または２に記載の撮像装置。
【請求項４】
前記信号処理部は、前記露光時間中に前記撮像面に到達した光の電気信号から、単一の前記画像を生成する、請求項１から３のいずれかに記載の撮像装置。
【請求項５】
前記信号処理部は、予め記憶された点拡がり関数を用いて、前記画像の鮮鋭度を高める、請求項１から４のいずれかに記載の撮像装置。
【請求項６】
前記点拡がり関数は、前記第１距離および前記第２距離をそれぞれ変化させながら点光源を撮像することによって取得されたものである、請求項５に記載の撮像装置。
【請求項７】
前記信号処理部は、単一の前記点拡がり関数を用いて、前記画像の全領域を復元する、請求項５または６に記載の撮像装置。
【請求項８】
前記位置変化部は、第１のカム溝及び第２のカム溝を有するカム筒を備え、
前記カム筒が光軸周りに回転することにより、第１のカム溝によって前記第２のレンズまたは前記撮像素子を移動させ、前記第２のカム溝によって前記第１のレンズまたは前記第２のレンズを移動させる、請求項１から７のいずれかに記載の撮像装置。
【請求項９】
前記第１距離の変化量と前記第２距離の変化量とが同量である、請求項１から７のいずれかに記載の撮像装置。
【請求項１０】
前記第２のレンズを保持する第１の鏡筒と、
前記第１のレンズと前記撮像素子とを保持する第２の鏡筒とをさらに備え、
前記位置変化部が、前記第１の鏡筒と前記第２の鏡筒のいずれか一方を移動させる、請求項９に記載の撮像装置。
【請求項１１】
第１のレンズと、前記第１のレンズを通過した光が入射する第２のレンズと、前記第２のレンズを通過した光を検出する撮像面を有する撮像素子とを含む像側非テレセントリック撮像光学系と、
前記撮像素子から出力された電気信号を用いて画像を生成する信号処理部とを備える撮像装置の撮像方法であって、
露光時間中に、前記第１のレンズと前記第２のレンズとの間の第１距離、及び、前記第２のレンズと前記撮像素子との間の第２距離をそれぞれ変化させながら、前記撮像素子における撮像面に到達した光を取得する第１のステップと、
前記信号処理部が、前記第１ステップに取得された光の電気信号に基づいて画像を生成する第２のステップとを包含する撮像方法。
【請求項１２】
前記第１のステップでは、前記第２の距離が所定量変化する場合に、前記第１距離が変化しない場合と比較して、前記撮像面における像の位置の変化が小さくなるように、前記第１距離を変化させる、請求項１１に記載の撮像方法。
【請求項１３】
前記露光時間中に、前記第１距離および前記第２距離を変化させることにより、前記撮像面における像の位置が一定になる、請求項１１または１２に記載の撮像方法。
【請求項１４】
前記第２のステップにおいて、前記信号処理部は、前記露光時間中に前記撮像面に到達した光の電気信号から、単一の前記画像を生成する、請求項１１から１３のいずれかに記載の撮像方法。
【請求項１５】
前記第２のステップにおいて生成された前記画像に対して、予め記憶された点拡がり関数を用いて前記画像の鮮鋭度を高める第３のステップをさらに含む、請求項１１から１４のいずれかに記載の撮像方法。
【手続補正３】
【補正対象書類名】図面
【補正対象項目名】全図
【補正方法】変更
【補正の内容】
【図１】
2011096237.tif 000060
【図２】
2011096237.tif 000061
【図３】
2011096237.tif 000062
【図４】
2011096237.tif 000063
【図５】
2011096237.tif 000064
【図６】
2011096237.tif 000065
【図７】
2011096237.tif 000066
【図８】
2011096237.tif 000067
【図９】
2011096237.tif 000068
【図１０】
2011096237.tif 000069
【図１１】
2011096237.tif 000070
【図１２】
2011096237.tif 000071
【図１３】
2011096237.tif 000072
【図１４】
2011096237.tif 000073
【図１５】
2011096237.tif 000074
【図１６】
2011096237.tif 000075
【図１７】
2011096237.tif 000076
【図１８】
2011096237.tif 000077
【図１９】
2011096237.tif 000078
【図２０】
2011096237.tif 000079
【図２１】
2011096237.tif 000080
【図２２】
2011096237.tif 000081
【図２３】
2011096237.tif 000082
【図２４】
2011096237.tif 000083
【図２５】
2011096237.tif 000084
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
第１のレンズと、前記第１のレンズを通過した光が入射する第２のレンズと、前記第２のレンズを通過した光を検出する撮像面を有する撮像素子とを含む像側非テレセントリック撮像光学系と、
露光時間中に前記第１のレンズと前記第２のレンズとの間の第１の距離を変化させるとともに、前記第１の距離の変化と連動して前記第２のレンズと前記撮像素子との間の第２の距離を変化させる位置変化部と、
前記撮像素子から出力された電気信号を用いて画像を生成する信号処理部とを備え、
前記位置変化部は、前記露光時間中に前記第２の距離が所定量変化する場合に、前記第１の距離が変化しない場合と比較して、前記撮像面における像の位置の変化が小さくなるように前記第１の距離を変化させ、
前記撮像素子は、前記第１の距離および前記第２の距離が変化している前記露光時間中に前記撮像面に到達した光を前記電気信号に変換し、
前記信号処理部は、前記露光時間中に前記撮像面に到達した光の電気信号から、単一の前記画像を生成する、撮像装置。
【請求項２】
前記位置変化部が前記第１の距離および前記第２の距離を変化させることにより、前記露光時間中において、前記撮像面における像の位置が一定になる、請求項１に記載の撮像装置。
【請求項３】
前記信号処理部は、予め記憶された点拡がり関数を用いて、前記画像の鮮鋭度を高める、請求項１または２に記載の撮像装置。
【請求項４】
前記点拡がり関数は、露光時間中に、前記第１の距離を変化させるとともに、前記第１の距離の変化と連動して前記第２の距離を変化させ、かつ、前記第２の距離を所定量変化する場合に、前記第１の距離が変化しない場合と比較して、前記撮像面における像の位置の変化が小さくなるように前記第１の距離を変化させながら点光源を撮像することによって取得されたものである、請求項３に記載の撮像装置。
【請求項５】
前記信号処理部は、単一の前記点拡がり関数を用いて、前記画像の全領域を復元する、請求項３または４に記載の撮像装置。
【請求項６】
前記位置変化部は、第１のカム溝及び第２のカム溝を有するカム筒を備え、
前記カム筒が光軸周りに回転することにより、第１のカム溝によって前記第２のレンズまたは前記撮像素子を移動させ、前記第２のカム溝によって前記第１のレンズまたは前記第２のレンズを移動させる、請求項１から５のいずれかに記載の撮像装置。
【請求項７】
前記第１の距離の変化量と前記第２の距離の変化量とが同量である、請求項１から５のいずれかに記載の撮像装置。
【請求項８】
前記第２のレンズを保持する第１の鏡筒と、
前記第１のレンズと前記撮像素子とを保持する第２の鏡筒とをさらに備え、
前記位置変化部が、前記第１の鏡筒と前記第２の鏡筒のいずれか一方を移動させる、請求項７に記載の撮像装置。
【請求項９】
第１のレンズと、前記第１のレンズを通過した光が入射する第２のレンズと、前記第２のレンズを通過した光を検出する撮像面を有する撮像素子とを含む像側非テレセントリック撮像光学系と、
前記撮像素子から出力された電気信号を用いて画像を生成する信号処理部とを備える撮像装置の撮像方法であって、
露光時間中に、前記第１のレンズと前記第２のレンズとの間の第１の距離を変化させるとともに、前記第１の距離に変化と連動して前記第２のレンズと前記撮像素子との間の第２の距離を変化させながら、前記撮像素子における撮像面に到達した光を取得する第１のステップと、
前記信号処理部が、前記第１のステップにおいて取得された光の電気信号に基づいて単一の画像を生成する第２のステップとを包含し、
前記第１のステップは、前記露光時間中に前記第２の距離が所定量変化する場合に、前記第１の距離が変化しない場合と比較して、前記撮像面における像の位置の変化が小さくなるように前記第１の距離を変化させる撮像方法。
【請求項１０】
前記露光時間中に、前記第１の距離および前記第２の距離を変化させることにより、前記撮像面における像の位置が一定になる、請求項９に記載の撮像方法。
【請求項１１】
前記第２のステップにおいて生成された前記画像に対して、予め記憶された点拡がり関数を用いて前記画像の鮮鋭度を高める第３のステップをさらに含む、請求項９または１０に記載の撮像方法。
【国際調査報告】
2011096237.tif 000085
2011096237.tif 000086